(57)【要約】液晶表示装置１０は、ＴＦ１９と、画素電極２０と、共通電極２３と、アレイ基板１１ｂと、ＣＦ基板１１ａと、ＣＦ基板１１ａに設けられる検出電極３８と、ＣＦ基板１１ａに設けられる駆動電極３９と、ＴＦＴ１９に走査信号Ｖscan及びデータ信号Ｖpixを供給して表示駆動を行う表示駆動部であるドライバ１６及び行制御回路部３７ｂと、駆動電極３９に駆動信号Ｖdriを供給するとともに検出電極３８から出力される位置検出信号Ｖdetを検出することで位置検出制御を行うタッチコントローラ４８であって、少なくとも表示駆動部である行制御回路部３７ｂによりＴＦＴ１９に走査信号Ｖscanが供給されてＴＦＴ１９が駆動される走査書き込み期間中に、駆動電極３９に駆動信号Ｖdriを供給して駆動電極３９を駆動するタッチコントローラ４８と、を備える。
2016084725.tif 000002
【特許請求の範囲】
【請求項１】
表示素子と、
前記表示素子に接続される画素電極と、
前記画素電極との間で静電容量を形成する共通電極と、
少なくとも前記表示素子が配されるアレイ基板と、
前記アレイ基板と対向状をなす形で間隔を空けて配される対向基板と、
前記対向基板に設けられてその板面に沿う方向に沿って延在する検出電極と、
前記対向基板に設けられてその板面に沿い且つ前記検出電極の延在方向と直交する方向に沿って延在し、前記検出電極と平面視において重畳していてその重畳する前記検出電極との間で静電容量を形成する駆動電極と、
前記表示素子に走査信号及びデータ信号を供給して表示駆動を行う表示駆動部と、
前記駆動電極に駆動信号を供給するとともに前記検出電極から出力される位置検出信号を検出することで位置検出制御を行う位置検出制御部であって、少なくとも前記表示駆動部により前記表示素子に前記走査信号が供給されて前記表示素子が駆動される走査書き込み期間中に、前記駆動電極に前記駆動信号を供給して前記駆動電極を駆動する位置検出制御部と、を備える位置入力機能付き表示装置。
【請求項２】
前記表示駆動部は、複数の前記表示素子に供給される複数の前記データ信号を多重化した多重化データ信号を出力するとともに、前記多重化データ信号を複数の前記データ信号に分離するための分離制御信号を出力するものとされるのに対し、前記表示駆動部から出力される前記多重化データ信号及び前記分離制御信号が入力されるとともに前記分離制御信号に基づいて前記多重化データ信号から複数の前記データ信号を分離して複数の前記表示素子に時分割して供給する分離制御部を備えており、
前記位置検出制御部は、前記分離制御部により複数の前記データ信号が時分割されて複数の前記表示素子に供給される複数のデータ書き込み期間に跨る形で、前記駆動電極に前記駆動信号を供給して前記駆動電極を駆動するとともに、前記データ書き込み期間が終わったタイミングで前記検出電極から出力される前記位置検出信号を検出するものとされる請求項１記載の位置入力機能付き表示装置。
【請求項３】
前記表示駆動部は、表示期間に、前記走査書き込み期間と、前記表示素子の駆動が休止される休止期間と、が含まれるよう表示駆動を行うものとされており、
前記位置検出制御部は、前記走査書き込み期間と前記休止期間とに跨る形で前記駆動電極に前記駆動信号を供給して前記駆動電極を駆動するとともに、前記休止期間中に前記検出電極から出力される位置検出信号を検出するものとされる請求項１または請求項２記載の位置入力機能付き表示装置。
【請求項４】
前記位置検出制御部は、前記走査書き込み期間中に、前記駆動電極に前記駆動信号を複数回供給するものとされる請求項１から請求項３のいずれか１項に記載の位置入力機能付き表示装置。
【請求項５】
前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、
前記位置検出制御部は、順次に行われる前記走査書き込み期間のそれぞれの中で前記駆動電極に前記駆動信号を供給して前記駆動電極を駆動するものとされる請求項１から請求項４のいずれか１項に記載の位置入力機能付き表示装置。
【請求項６】
前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、
前記位置検出制御部は、連続する複数の前記走査書き込み期間の中から選択される１つの前記走査書き込み期間中に、前記駆動電極に前記駆動信号を供給して前記駆動電極を駆動するものとされる請求項１から請求項４のいずれか１項に記載の位置入力機能付き表示装置。
【請求項７】
前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、
前記位置検出制御部は、連続する複数の前記走査書き込み期間に跨る形で前記駆動電極に前記駆動信号を供給して前記駆動電極を駆動するものとされる請求項１から請求項４のいずれか１項に記載の位置入力機能付き表示装置。
【請求項８】
前記画素電極及び前記共通電極は、前記アレイ基板における前記対向基板側の板面にそれぞれ設けられているのに対し、前記検出電極は、前記対向基板における一方の板面に設けられるとともに、前記駆動電極は、前記対向基板における他方の板面に設けられている請求項１から請求項７のいずれか１項に記載の位置入力機能付き表示装置。
【発明の詳細な説明】
【技術分野】
【０００１】
本発明は、位置入力機能付き表示装置に関する。
【背景技術】
【０００２】
近年、タブレット型ノートパソコンや携帯型情報端末などの電子機器において、操作性及びユーザビリティを高めることを目的として、タッチパネルの搭載が進められている。タッチパネルは、例えば指やタッチペンにより触れることで、表示パネルの表示面の面内における位置情報を入力することができる。これにより、使用者に表示パネルに表示された画像に直接触れるような、直感的な操作を可能としている。このようなタッチパネルの位置入力機能を表示パネルに備えさせるようにしたものの一例として下記特許文献１に記載されたものが知られている。【０００３】
特許文献１には、表示素子と、タッチ検出素子と、１フレーム期間を構成する複数の単位駆動期間のそれぞれにおいて、Ｍ本の水平ラインを順次表示させるように表示素子を駆動し、その単位駆動期間内に設けられた、Ｍよりも少ないＮ個のタッチ検出期間においてタッチ検出素子を駆動する駆動部とを備える表示装置が記載されている。この表示装置では、単位駆動期間において、Ｍ本の水平ラインに対する表示駆動が順次行われるとともに、その単位駆動期間内のＮ個のタッチ検出期間において、タッチ検出素子が駆動される。
【先行技術文献】
【特許文献】
【０００４】
【特許文献１】特開２０１３−８４１６８号公報
【０００５】
（発明が解決しようとする課題）
上記した特許文献１では、表示のための信号が入力される駆動電極に、タッチ検出のための信号を入力しているため、単位駆動期間のうち、表示期間よりも時間的に前のタッチ検出期間においてタッチ検出を行うようにしている。このため、タッチ検出のタイミングの自由度が低く、ノイズの影響を受け易いものとなっており、それに起因して位置検出感度が低下するおそれがあった。特に、高精細化が進行するのに伴って単位駆動期間が短くなった場合には、タッチ検出期間も短くなるため、位置検出感度がより低下することが懸念される。また、表示画面の大型化が進行すると、タッチ検出に要する期間が長くなる傾向にあるため、対応に苦慮していた。
【発明の概要】
【０００６】
本発明は上記のような事情に基づいて完成されたものであって、位置検出感度の向上などを図ることを目的とする。
【０００７】
（課題を解決するための手段）
本発明の位置入力機能付き表示装置は、表示素子と、前記表示素子に接続される画素電極と、前記画素電極との間で静電容量を形成する共通電極と、少なくとも前記表示素子が配されるアレイ基板と、前記アレイ基板と対向状をなす形で間隔を空けて配される対向基板と、前記対向基板に設けられてその板面に沿う方向に沿って延在する検出電極と、前記対向基板に設けられてその板面に沿い且つ前記検出電極の延在方向と直交する方向に沿って延在し、前記検出電極と平面視において重畳していてその重畳する前記検出電極との間で静電容量を形成する駆動電極と、前記表示素子に走査信号及びデータ信号を供給して表示駆動を行う表示駆動部と、前記駆動電極に駆動信号を供給するとともに前記検出電極から出力される位置検出信号を検出することで位置検出制御を行う位置検出制御部であって、少なくとも前記表示駆動部により前記表示素子に前記走査信号が供給されて前記表示素子が駆動される走査書き込み期間中に、前記駆動電極に前記駆動信号を供給して前記駆動電極を駆動する位置検出制御部と、を備える。
【０００８】
このようにすれば、表示駆動部は、表示素子に走査信号及びデータ信号を所定のタイミングで供給することで、表示素子に接続された画素電極を充電し、その画素電極と共通電極との間に電位差を生じさせることで、画像を表示させることができる。位置検出制御部は、駆動電極に駆動信号を供給して駆動電極を駆動するとともに検出電極から出力される位置検出信号を検出することで、使用者が入力した位置情報を取得し、入力位置の検出を行うことができる。ここで、位置検出制御部は、少なくとも表示駆動部により表示素子に走査信号が供給されて表示素子が駆動される走査書き込み期間中に、駆動電極に駆動信号を供給して駆動電極を駆動するようにしているから、従来のように走査書き込み期間外において駆動信号の供給を行う場合に比べると、検出電極から出力される位置検出信号を検出するタイミングに係る自由度が高いものとなる。これにより、位置検出のタイミングを、表示に伴って生じるノイズの少ないタイミングに同期させることが可能となり、もって位置検出感度を高いものとすることができる。
【０００９】
しかも、走査書き込み期間中に、駆動電極に駆動信号を供給して駆動電極を駆動するようにしているから、高精細化に伴って表示期間が短くなるとともに走査書き込み期間外の期間が短くなっても、十分に高い位置検出感度を得ることができ、また大型化に伴って位置検出に要する期間が長くなっても、その期間を十分に確保することができる。さらには、従来では、本来は表示に要される共通電極を利用して位置検出を行っていたため、表示と位置検出とを切り替えるための回路部が必要で、その回路部をアレイ基板の非表示領域に設ける必要があるものの、上記したように共通電極とは別途に設けた検出電極を用いて位置検出を行うようにしているから、表示と位置検出とを切り替えるための回路部が不要となる。これにより、非表示領域の幅を狭くすることができ、もって狭額縁化を図る上で好適となる。
【００１０】
本発明の実施態様として、次の構成が好ましい。
（１）前記表示駆動部は、複数の前記表示素子に供給される複数の前記データ信号を多重化した多重化データ信号を出力するとともに、前記多重化データ信号を複数の前記データ信号に分離するための分離制御信号を出力するものとされるのに対し、前記表示駆動部から出力される前記多重化データ信号及び前記分離制御信号が入力されるとともに前記分離制御信号に基づいて前記多重化データ信号から複数の前記データ信号を分離して複数の前記表示素子に時分割して供給する分離制御部を備えており、前記位置検出制御部は、前記分離制御部により複数の前記データ信号が時分割されて複数の前記表示素子に供給される複数のデータ書き込み期間に跨る形で、前記駆動電極に前記駆動信号を供給して前記駆動電極を駆動するとともに、前記データ書き込み期間が終わったタイミングで前記検出電極から出力される前記位置検出信号を検出するものとされる。このようにすれば、表示駆動部から出力される多重化データ信号及び分離制御信号に基づいて、分離制御部は、多重化データ信号から複数のデータ信号を分離して複数の表示素子に時分割して供給することで、複数の表示素子の駆動がなされる。これにより、表示駆動部と分離制御部との接続に係る配線の数を削減することができる。ここで、分離制御部によりデータ信号が表示素子に供給されるデータ書き込み期間中は、ノイズが発生し易いものとされているものの、位置検出制御部は、複数のデータ書き込み期間に跨る形で駆動電極に駆動信号を供給して駆動電極を駆動するとともに、データ書き込み期間が終わったタイミングで検出電極から出力される位置検出信号を検出しているので、データ書き込み期間中に発生するノイズの影響を受けることなく、位置検出を行うことができる。これにより、位置検出感度をより高いものとすることができる。
【００１１】
（２）前記表示駆動部は、表示期間に、前記走査書き込み期間と、前記表示素子の駆動が休止される休止期間と、が含まれるよう表示駆動を行うものとされており、前記位置検出制御部は、前記走査書き込み期間と前記休止期間とに跨る形で前記駆動電極に前記駆動信号を供給して前記駆動電極を駆動するとともに、前記休止期間中に前記検出電極から出力される位置検出信号を検出するものとされる。このようにすれば、表示期間に含まれる休止期間では、表示素子の駆動が休止されるので、ノイズが発生し難いものとされる。その点、位置検出制御部は、走査書き込み期間と休止期間とに跨る形で駆動電極に駆動信号を供給して駆動電極を駆動するとともに、休止期間中に検出電極から出力される位置検出信号を検出するようにしているから、位置検出に際してノイズの影響を受け難いものとなり、もって位置検出感度をより高いものとすることができる。
【００１２】
（３）前記位置検出制御部は、前記走査書き込み期間中に、前記駆動電極に前記駆動信号を複数回供給して前記駆動電極を駆動するものとされる。このようにすれば、一走査書き込み期間において位置検出を複数回行うことができるので、その位置検出結果を統計的に解析することが可能となる。これにより、位置検出結果のばらつきに起因する位置検出感度の劣化を抑制することができる。
【００１３】
（４）前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、前記位置検出制御部は、順次に行われる前記走査書き込み期間のそれぞれの中で前記駆動電極に前記駆動信号を供給して前記駆動電極を駆動するものとされる。このようにすれば、行列状に並ぶ表示素子には、行方向に沿って走査する形で順次に走査信号が供給されることでその駆動がされており、それらの順次に行われる走査書き込み期間のそれぞれの中で駆動電極に駆動信号が供給されて駆動電極の駆動がなされているから、走査書き込み期間毎に駆動信号に基づく位置検出信号を繰り返し検出することができる。これにより、位置検出感度をより高いものとすることができる。
【００１４】
（５）前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、前記位置検出制御部は、連続する複数の前記走査書き込み期間の中から選択される１つの前記走査書き込み期間中に、前記駆動電極に前記駆動信号を供給して前記駆動電極を駆動するものとされる。このようにすれば、高精細化に伴って走査書き込み期間が短くなるのに加えて、大型化に伴って位置検出に要する期間が長くなった場合でも、位置検出に要する期間を十分に確保することが可能となる。これにより、高精細化及び大型化を図る上でより好適となる。
【００１５】
（６）前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、前記位置検出制御部は、連続する複数の前記走査書き込み期間に跨る形で前記駆動電極に前記駆動信号を供給して前記駆動電極を駆動するものとされる。このようにすれば、高精細化に伴って走査書き込み期間が短くなるのに加えて、大型化に伴って位置検出に要する期間が長くなった場合でも、位置検出に要する期間を十分に確保することが可能となる。これにより、高精細化及び大型化を図る上でより好適となる。
【００１６】
（７）前記画素電極及び前記共通電極は、前記アレイ基板における前記対向基板側の板面にそれぞれ設けられているのに対し、前記検出電極は、前記対向基板における一方の板面に設けられるとともに、前記駆動電極は、前記対向基板における他方の板面に設けられている。このようにすれば、ＦＦＳ（Fringe Field Switching）モードやＩＰＳ（In-Plane Switching）モードのものに適用する上で好適となる。
【００１７】
（発明の効果）
本発明によれば、位置検出感度の向上などを図ることができる。
【図面の簡単な説明】
【００１８】
【図１】本発明の実施形態１に係る液晶表示装置の断面図
【図２】液晶表示装置に備えられる液晶パネルの平面図
【図３】液晶パネルを構成するアレイ基板の平面図
【図４】液晶パネルを構成するＣＦ基板の平面図
【図５】液晶パネルを構成するＣＦ基板の底面図
【図６】アレイ基板の中央側部分を拡大した平面図
【図７】図６のvii-vii線断面図
【図８】図６のviii-viii線断面図
【図９】ＣＦ基板のうち、短辺方向についての両端側部分を拡大した平面図
【図１０】ＣＦ基板のうち、長辺方向についての端子部側とは反対側の端部における短辺方向についての端側部分を拡大した底面図
【図１１】ＣＦ基板のうち、長辺方向についての端子部側の端部における短辺方向についての端側部分を拡大した底面図
【図１２】ＣＦ基板のうち、長辺方向についての端子部側とは反対側の端部における短辺方向についての端側部分をさらに拡大した底面図
【図１３】液晶表示装置における表示及び位置検出の制御に関するブロック図
【図１４】液晶表示装置における表示及び位置検出の制御に関するタイミングチャート
【図１５】本発明の実施形態２に係る液晶表示装置における表示及び位置検出の制御に関するタイミングチャート
【図１６】本発明の実施形態３に係る液晶表示装置における表示及び位置検出の制御に関するタイミングチャート
【図１７】本発明の実施形態４に係る液晶表示装置における表示及び位置検出の制御に関するタイミングチャート
【図１８】本発明の実施形態５に係る液晶表示装置における表示及び位置検出の制御に関するタイミングチャート
【図１９】本発明の実施形態６に係る液晶表示装置に備えられる液晶パネルを長辺方向に沿って切断した断面図
【発明を実施するための形態】
【００１９】
＜実施形態１＞
本発明の実施形態１を図１から図１４によって説明する。本実施形態では、位置入力機能を備えた液晶表示装置（位置入力機能付き表示装置）１０について例示する。なお、各図面の一部にはＸ軸、Ｙ軸及びＺ軸を示しており、各軸方向が各図面で示した方向となるように描かれている。また、上下方向については、図２などを基準とし、且つ同図上側を表側とするとともに同図下側を裏側とする。
【００２０】
液晶表示装置１０は、図１及び図２に示すように、画像を表示するとともにその表示される画像に基づいて使用者が入力する位置情報を検出することが可能な液晶パネル（位置入力機能付き表示パネル）１１と、液晶パネル１１に対して表示に利用する光を供給する外部光源であるバックライト装置（照明装置）１２と、を備える。また、液晶表示装置１０は、バックライト装置１２を収容するシャーシ１３と、シャーシ１３との間でバックライト装置１２を保持するフレーム１４と、フレーム１４との間で液晶パネル１１を保持するベゼル（保持部材）１５と、を備えている。このうち、バックライト装置１２は、光源（例えば冷陰極管、ＬＥＤ、有機ＥＬなど）と、光源から発せられる面状に変換するなどの光学機能を有する光学部材と、を少なくとも備えてなるものとされる。
【００２１】
本実施形態に係る液晶表示装置１０は、携帯電話（スマートフォンなどを含む）、ノートパソコン（タブレット型ノートパソコンなどを含む）、携帯型情報端末（電子ブックやＰＤＡなどを含む）、デジタルフォトフレーム、携帯型ゲーム機などの各種電子機器（図示せず）に用いられるものである。このため、液晶表示装置１０を構成する液晶パネル１１の画面サイズは、数インチ〜１０数インチ程度とされ、一般的には小型または中小型に分類される大きさとされている。
【００２２】
液晶パネル１１について説明する。液晶パネル１１は、図２に示すように、全体として縦長な方形状（矩形状）をなしており、その長辺方向がＹ軸方向と、短辺方向がＸ軸方向と、それぞれ一致している。液晶パネル１１は、画像を表示可能な表示領域（アクティブエリア）ＡＡと、表示領域ＡＡを取り囲む額縁状（枠状）をなすとともに画像を表示不能な非表示領域（ノンアクティブエリア）ＮＡＡと、に区分されている。この液晶パネル１１においては、その長辺方向における一方の端部側（図２に示す上側）に片寄った位置に表示領域ＡＡが配されている。また、非表示領域ＮＡＡは、表示領域ＡＡを取り囲む略枠状の領域（後述するＣＦ基板１１ａにおける額縁部分）と、長辺方向の他方の端部側（図２に示す下側）に確保された領域（後述するアレイ基板１１ｂのうちＣＦ基板１１ａとは重畳せずに露出する部分）と、からなり、このうちの後者は、液晶パネル１１を駆動するドライバ（表示駆動部、ソースドライバ）１６と、フレキシブル基板（外部接続部品）１７と、が実装される実装領域となっている。フレキシブル基板１７は、可撓性を有するとともに、液晶パネル１１と外部の信号供給源である制御回路基板１８とを接続し、制御回路基板１８から供給される各種信号をドライバ１６などに伝送することが可能とされる。ドライバ１６は、内部に駆動回路を有するＬＳＩチップからなるものとされ、制御回路基板１８から供給される入力信号を処理して出力信号を生成し、その出力信号を後述する列制御回路部３７ａに出力するものとされる。なお、図２では、ＣＦ基板１１ａよりも一回り小さな枠状の一点鎖線が表示領域ＡＡの外形を表しており、当該一点鎖線よりも外側の領域が非表示領域ＮＡＡとなっている。
【００２３】
液晶パネル１１は、図２及び図７に示すように、一対の基板１１ａ，１１ｂと、両基板１１ａ，１１ｂ間に介在し、電界印加に伴って光学特性が変化する物質である液晶分子を含む液晶層（液晶）１１ｃと、を備え、両基板１１ａ，１１ｂが液晶層１１ｃの厚さ分のギャップを維持した状態で図示しないシール部によって貼り合わせられている。一対の基板１１ａ，１１ｂのうち表側（正面側）がＣＦ基板（対向基板）１１ａとされ、裏側（背面側）がアレイ基板（素子基板、アクティブマトリクス基板）１１ｂとされる。これらＣＦ基板１１ａ及びアレイ基板１１ｂは、ほぼ透明な（高い透光性を有する）ガラス基板ＧＳを備えており、当該ガラス基板ＧＳ上に各種の膜を既知のフォトリソグラフィ法などにより積層形成してなるものとされる。このうち、ＣＦ基板１１ａは、図２に示すように、短辺寸法がアレイ基板１１ｂと概ね同等であるものの、長辺寸法がアレイ基板１１ｂよりも小さなものとされるとともに、アレイ基板１１ｂに対して長辺方向についての一方（図２に示す上側）の端部を揃えた状態で貼り合わせられている。従って、アレイ基板１１ｂのうち長辺方向についての他方（図２に示す下側）の端部は、所定範囲にわたってＣＦ基板１１ａが重なり合うことがなく、表裏両板面が外部に露出した状態とされており、ここに既述したドライバ１６及びフレキシブル基板１７の実装領域が確保されている。両基板１１ａ，１１ｂの内面側、液晶層１１ｃに含まれる液晶分子を配向させるための配向膜（図示せず）がそれぞれ液晶層１１ｃに直接臨む形で形成されている。また、両基板１１ａ，１１ｂの外面側には、それぞれ偏光板（図示せず）が貼り付けられている。
【００２４】
アレイ基板１１ｂ及びＣＦ基板１１ａにおける表示領域ＡＡ内に存在する構成について簡単に説明する。アレイ基板１１ｂの内面側（液晶層１１ｃ側、ＣＦ基板１１ａとの対向面側）における表示領域ＡＡには、図６及び図７に示すように、スイッチング素子であるＴＦＴ（Thin Film Transistor、表示素子）１９及び画素電極２０が多数個ずつ行列状（マトリクス状）に並んで設けられるとともに、これらＴＦＴ１９及び画素電極２０の周りには、格子状をなすゲート配線２１及びソース配線２２が取り囲むようにして配設されている。言い換えると、格子状をなすゲート配線２１及びソース配線２２の交差部に、ＴＦＴ１９及び画素電極２０が行列状に並んで配置されている。ゲート配線２１は、Ｘ軸方向（行方向）に沿って延在するとともにＹ軸方向（列方向）に沿って多数本が間欠的に並んで配されているのに対し、ソース配線２２は、Ｙ軸方向に沿って延在するとともにＸ軸方向に沿って多数本が間欠的に並んで配されている。ゲート配線２１とソース配線２２とがそれぞれＴＦＴ１９のゲート電極１９ａとソース電極１９ｂとに接続され、画素電極２０がＴＦＴ１９のドレイン電極１９ｃに接続されている。ゲート配線２１には、ＴＦＴ１９のゲート電極１９ａに供給される走査信号Ｖscanが伝送されるのに対し、ソース配線２２には、ＴＦＴ１９のソース電極１９ｂに供給されるデータ信号Ｖpixが伝送されるようになっている。これらＴＦＴ１９、画素電極２０、ゲート配線２１、及びソース配線２２は、画像を表示するための回路である表示用回路の一部を構成している。なお、ＴＦＴ１９の詳しい構成については後に説明する。画素電極２０は、平面に視て縦長の方形状（矩形状）をなしている。そして、アレイ基板１１ｂには、共通電位（基準電位）が供給されることで上記した画素電極２０との間で電界を形成する共通電極２３が設けられている。つまり、本実施形態に係る液晶パネル１１は、動作モードがＩＰＳ（In-Plane Switching）モードをさらに改良したＦＦＳ（Fringe Field Switching）モードとされていて、アレイ基板１１ｂ側に画素電極２０及び共通電極２３を共に形成し、且つこれら画素電極２０と共通電極２３とを異なる層に配してなるものである。画素電極２０には、平面に視てＸ軸方向及びＹ軸方向に対する斜め方向に沿って延在するスリット２０ａが間欠的に並んで形成されている。このスリット２０ａによって画素電極２０と異なる層に配された共通電極２３との間に電位差が生じたとき、アレイ基板１１ｂの板面に沿う成分に加えて、アレイ基板１１ｂの板面に対する法線方向の成分を含むフリンジ電界（斜め電界）が印加されるようになっており、そのフリンジ電界を利用して液晶層１１ｃに含まれる液晶分子の配向状態を適切にスイッチングすることができる。
【００２５】
一方、ＣＦ基板１１ａの内面側（液晶層１１ｃ側、アレイ基板１１ｂとの対向面側）における表示領域ＡＡには、図７に示すように、Ｒ（赤色），Ｇ（緑色），Ｂ（青色）等の各着色部が、アレイ基板１１ｂ側の各画素電極２０と平面に視て重畳するよう多数個マトリクス状に並列して配置されたカラーフィルタ２４が設けられている。カラーフィルタ２４をなす各着色部間には、混色を防ぐための略格子状の遮光部（ブラックマトリクス）２５が形成されている。遮光部２５は、上記したゲート配線２１及びソース配線２２と平面に視て重畳する配置とされる。カラーフィルタ２４及び遮光部２５の表面には、平坦化膜（保護膜、オーバーコート膜）２６が設けられている。なお、当該液晶パネル１１においては、Ｒ（赤色），Ｇ（緑色），Ｂ（青色）の３色の着色部及びそれらと対向する３つの画素電極２０の組によって表示単位である１つの表示画素が構成されている。表示画素は、Ｒ，Ｇ，Ｂの３色の画素部ＰＸからなる。各画素部ＰＸは、画素電極２０と、それと対向状をなす着色部と、の組によって構成される。これら各色の画素部ＰＸは、液晶パネル１１の板面において行方向（Ｘ軸方向）に沿って繰り返し並べて配されることで、画素部ＰＸ群を構成しており、この画素部ＰＸ群が列方向（Ｙ軸方向）に沿って多数並んで配されている。なお、上記した遮光部２５は、互いに隣り合う画素部ＰＸの間を仕切る形で配されている。
【００２６】
次に、アレイ基板１１ｂの内面側に既知のフォトリソグラフィ法などによって積層形成された各種の膜の具体的な積層順などについて詳しく説明する。アレイ基板１１ｂには、液晶パネル１１が有する機能のうちの、画像を表示する機能（表示機能）を発揮するための構造物が主に設けられている。詳しくは、アレイ基板１１ｂには、図７に示すように、下層側（ガラス基板ＧＳ側、裏側）から順に、ベースコート膜２７、半導体膜２８、ゲート絶縁膜（無機絶縁膜）２９、第１金属膜（ゲート金属膜）３０、第１層間絶縁膜（無機絶縁膜）３１、第２金属膜（ソース金属膜）３２、平坦化膜（有機絶縁膜）３３、第１透明電極膜３４、第２層間絶縁膜（無機絶縁膜）３５、第２透明電極膜３６、が積層形成されている。また、図示は省略しているが、第２層間絶縁膜３５及び第２透明電極膜３６の上層側には、既述した配向膜が形成されている。
【００２７】
ベースコート膜２７は、アレイ基板１１ｂをなすガラス基板ＧＳの表面の全体を覆うベタ状のパターンとされており、例えば酸化珪素（ＳｉＯ２）、窒化珪素（ＳｉＮｘ）、窒化酸化珪素（ＳｉＯＮ）などからなる。半導体膜２８は、ベースコート膜２７の上層側に積層されるとともに、表示領域ＡＡと非表示領域ＮＡＡとにそれぞれ配されるようパターニングされている。半導体膜２８は、少なくとも表示領域ＡＡにおいては、後述するＴＦＴ１９の配置に応じて島状にパターニングされている。半導体膜２８は、多結晶化されたシリコン薄膜（多結晶シリコン薄膜）の一種であるＣＧシリコン（Continuous Grain Silicon）薄膜からなるものとされている。ＣＧシリコン薄膜は、例えばアモルファスシリコン薄膜に金属材料を添加し、５５０℃以下程度の低温で短時間の熱処理を行うことで形成されており、それによりシリコン結晶の結晶粒界における原子配列に連続性を有している。ゲート絶縁膜２９は、ベースコート膜２７及び半導体膜２８の上層側に積層されるとともに、表示領域ＡＡと非表示領域ＮＡＡとに跨る形のベタ状のパターンとされており、例えば酸化珪素（ＳｉＯ２）からなるものとされる。
【００２８】
第１金属膜３０は、ゲート絶縁膜２９の上層側に積層されるとともに、表示領域ＡＡと非表示領域ＮＡＡとにそれぞれ配されるようパターニングされており、例えばチタン（Ｔｉ）及び銅（Ｃｕ）の積層膜により形成されている。この第１金属膜３０により、既述したゲート配線２１及びゲート電極１９ａなどが構成されている。第１層間絶縁膜３１は、ゲート絶縁膜２９及び第１金属膜３０の上層側に積層されるとともに、表示領域ＡＡと非表示領域ＮＡＡとに跨る形のベタ状のパターンとされており、例えば酸化珪素（ＳｉＯ２）からなるものとされる。この第１層間絶縁膜３１により、既述したゲート配線２１とソース配線２２との交差部間が絶縁状態に保たれている。第２金属膜３２は、第１層間絶縁膜３１の上層側に積層されるとともに、表示領域ＡＡと非表示領域ＮＡＡとにそれぞれ配されるようパターニングされており、例えばチタン（Ｔｉ）及び銅（Ｃｕ）の積層膜により形成されている。この第２金属膜３２により、既述したソース配線２２、ソース電極１９ｂ、及びドレイン電極１９ｃなどが構成されている。平坦化膜３３は、第１層間絶縁膜３１及び第２金属膜３２の上層側に積層されるとともに、表示領域ＡＡと非表示領域ＮＡＡとに跨る形のベタ状のパターンとされており、例えばポリメタクリル酸メチル樹脂（ＰＭＭＡ）などのアクリル系樹脂材料などからなるものとされる。平坦化膜３３は、その膜厚が、無機絶縁膜である他の絶縁膜２９，３１，３５に比べて相対的に大きなものとされている。従って、平坦化膜３３は、アレイ基板１１ｂにおける液晶層１１ｃ側の面（配向膜が配される面）を好適に平坦化することができる。
【００２９】
第１透明電極膜３４は、平坦化膜３３の上層側に積層されるとともに、少なくとも表示領域ＡＡにおいて概ねベタ状のパターンとして形成されており、例えばＩＴＯ（Indium Tin Oxide）或いはＺｎＯ（Zinc Oxide）といった透明電極材料からなる。この第１透明電極膜３４により、概ねベタ状のパターンである共通電極２３が構成されている。第２層間絶縁膜３５は、平坦化膜３３及び第１透明電極膜３４の上層側に積層されるとともに、表示領域ＡＡと非表示領域ＮＡＡとに跨る形のベタ状のパターンとされており、例えば窒化珪素（ＳｉＮｘ）からなるものとされる。第２透明電極膜３６は、第２層間絶縁膜３５の上層側に積層されるとともに、表示領域ＡＡにおいてＴＦＴ１９の配置に応じて島状にパターニングされており、例えばＩＴＯ（Indium Tin Oxide）或いはＺｎＯ（Zinc Oxide）といった透明電極材料からなる。この第２透明電極膜３６により画素電極２０が構成されている。なお、ゲート絶縁膜２９、第１層間絶縁膜３１、平坦化膜３３、及び第２層間絶縁膜３５には、アレイ基板１１ｂの製造工程においてパターニングされることで、それぞれの所定の位置にコンタクトホールＣＨ１，ＣＨ２などの開口が形成されるようになっている。
【００３０】
アレイ基板１１ｂにおける表示領域ＡＡに配されるＴＦＴ１９は、図７に示すように、半導体膜２８からなるチャネル部１９ｄと、チャネル部１９ｄに対してゲート絶縁膜２９を介して上層側に重畳する形で配されるゲート電極１９ａと、ゲート電極１９ａに対して第１層間絶縁膜３１を介して上層側に配されるソース電極１９ｂ及びドレイン電極１９ｃと、を備えており、いわゆるトップゲート型（スタガ型）とされている。このうち、ソース電極１９ｂ及びドレイン電極１９ｃは、ゲート絶縁膜２９及び第１層間絶縁膜３１にそれぞれ開口形成されたコンタクトホールＣＨ１を通してチャネル部１９ｄに対して接続されており、それによりソース電極１９ｂとドレイン電極１９ｃとの間での電子の移動が可能とされている。チャネル部１９ｄをなす半導体膜２８は、既述した通りＣＧシリコン薄膜からなるものとされる。このＣＧシリコン薄膜は、アモルファスシリコン薄膜などに比べると、電子移動度が例えば２００〜３００ｃｍ２／Ｖｓ程度と高くなっているので、このＣＧシリコン薄膜からなる半導体膜２８をＴＦＴ１９のチャネル部１９ｄとすることで、ＴＦＴ１９を小型化して画素電極２０の透過光量を極大化することができ、もって高精細化及び低消費電力化を図る上で好適とされる。ＴＦＴ１９のドレイン電極１９ｃには、平坦化膜３３及び第２層間絶縁膜３５にそれぞれ開口形成されたコンタクトホールＣＨ２を通して第２透明電極膜３６からなる画素電極２０が接続されている。これにより、ＴＦＴ１９のゲート電極１９ａを通電すると、チャネル部１９ｄを介してソース電極１９ｂとドレイン電極１９ｃとの間に電流が流されるとともに画素電極２０に所定の電位が印加される。なお、第１透明電極膜３４からなる共通電極２３は、第２層間絶縁膜３５を挟み込む形で各画素電極２０と平面に視て重畳する配置とされている。なお、既述した通り、概ねベタ状のパターンとされる共通電極２３のうち、平坦化膜３３及び第２層間絶縁膜３５のコンタクトホールＣＨ２と平面に視て重畳する位置には、画素電極２０のコンタクト部分を通すための開口が形成されている。
【００３１】
次に、アレイ基板１１ｂにおける非表示領域ＮＡＡ内に存在する構成について説明する。アレイ基板１１ｂの非表示領域ＮＡＡのうち、表示領域ＡＡに対して隣り合う位置には、図３に示すように、表示領域ＡＡ内のＴＦＴ１９を表示駆動するためのモノリシック回路部（表示駆動部）３７が設けられている。モノリシック回路部３７は、表示領域ＡＡ内のＴＦＴ１９と同じ半導体膜２８をベースとしてアレイ基板１１ｂ上にモノリシックに形成されており、それによりＴＦＴ１９への出力信号の供給を制御するための制御回路及びその回路素子を有している。この制御回路をなす回路素子には、例えば、チャネル部として半導体膜２８を用いた図示しない回路用ＴＦＴ（回路用薄膜トランジスタ）などが含まれている。制御回路には、第１金属膜３０及び第２金属膜３２を用いた図示しない回路用配線部などが含まれている。モノリシック回路部３７には、表示領域ＡＡにおける短辺部に隣り合う列制御回路部（列表示駆動部、分離制御部）３７ａと、表示領域ＡＡにおける長辺部に隣り合う行制御回路部（行表示駆動部、表示駆動部）３７ｂと、が含まれている。
【００３２】
列制御回路部３７ａは、図３に示すように、表示領域ＡＡにおける図３に示す下側の短辺部に隣り合う位置、言い換えるとＹ軸方向について表示領域ＡＡとドライバ１６との間となる位置に配されており、Ｘ軸方向に沿って延在する横長な方形状の範囲に形成されている。この列制御回路部３７ａは、アレイ基板１１ｂ上に形成された図示しない接続配線によってドライバ１６に接続されている。この列制御回路部３７ａは、表示領域ＡＡから引き出される多数本のソース配線２２に接続されるとともに、ドライバ１６からの出力信号に含まれる多重化データ信号Ｖsigを各データ信号Ｖpixに分離し、その分離したデータ信号Ｖpixを各ソース配線２２に選択的に振り分ける選択スイッチ回路（ＲＧＢスイッチ回路）を有している。具体的には、ソース配線２２は、アレイ基板１１ｂの表示領域ＡＡにおいてＸ軸方向に沿って多数本が並んで配されるとともに、Ｒ（赤色），Ｇ（緑色），Ｂ（青色）の各色の画素部ＰＸをなす各ＴＦＴ１９にそれぞれ接続されているのに対して、ドライバ１６は、Ｒ，Ｇ，Ｂの各色の画素部ＰＸに供給される３つのデータ信号Ｖpix（ＶpixR，ＶpixG，ＶpixB）を多重化した多重化データ信号Ｖsigと、多重化データ信号Ｖsigから３つのデータ信号ＶpixR，ＶpixG，ＶpixBを分離（選択）するための分離制御信号（選択制御信号）Ｖselと、を列制御回路部３７ａに出力するものとされる。そして、列制御回路部３７ａは、上記した選択スイッチ回路により、ドライバ１６から出力される分離制御信号Ｖselに基づいて多重化データ信号Ｖsigから３つのデータ信号ＶpixR，ＶpixG，ＶpixBを分離し、その分離した各データ信号ＶpixR，ＶpixG，ＶpixBを、Ｒ，Ｇ，Ｂの各色の画素部ＰＸに接続される各ソース配線２２に振り分けて供給している。このような構成により、仮にデータ信号を多重化せず、ドライバからのデータ信号をそのままソース配線２２に供給した場合に比べると、列制御回路部３７ａとドライバ１６とを接続する接続配線の数を約１／３にまで削減することができ、高精細化に好適とされる。
【００３３】
行制御回路部３７ｂは、図３に示すように、表示領域ＡＡをＸ軸方向について両側から挟み込む形で一対備えられており、Ｙ軸方向に沿って表示領域ＡＡのほぼ全長にわたって延在する範囲にわたって設けられている。この行制御回路部３７ｂは、アレイ基板１１ｂ上に形成された図示しない接続配線によってフレキシブル基板１７に接続されている。この行制御回路部３７ｂは、表示領域ＡＡから引き出される多数本のゲート配線２１に接続されることで、制御回路基板１８からの信号を各ゲート配線２１に供給するものとされる。行制御回路部３７ｂは、制御回路基板１８からの出力信号に含まれる走査信号Ｖscanを、各ゲート配線２１に所定のタイミングで供給して各ゲート配線２１を順次に走査する走査回路を有している。具体的には、行制御回路部３７ｂは、走査回路により、表示領域ＡＡにおいて図３に示すＹ軸方向についての上端位置のゲート配線２１から下端位置のゲート配線２１に至るまで走査信号Ｖscanを順次に供給することで、Ｙ軸方向（列方向）に沿って並ぶ多数本のゲート配線２１（行をなすＴＦＴ１９群）の走査を行うものとされる。ゲート配線２１には、Ｘ軸方向（行方向）に沿って並ぶ多数のＴＦＴ１９がそれぞれ接続されているので、ゲート配線２１に走査信号Ｖscanを供給すると、それに接続されて１つの行をなすＴＦＴ１９群が一括して選択されてその駆動がなされるものとされる。なお、行制御回路部３７ｂによりＴＦＴ１９の走査方向は、Ｙ軸方向と一致していることになる。
【００３４】
ところで、本実施形態に係る液晶パネル１１は、既述した通り、画像を表示する表示機能と、表示される画像に基づいて使用者が入力する位置情報を検出する位置入力機能（位置検出機能）と、を併有しており、このうちの位置入力機能を発揮するためのタッチパネルパターン（位置入力装置、位置検出装置）ＴＰＰを内蔵（インセル化）している。タッチパネルパターンＴＰＰは、いわゆる投影型静電容量方式とされており、その検出方式が相互容量方式とされるものである。このタッチパネルパターンＴＰＰは、専らＣＦ基板１１ａに設けられている。詳しくは、タッチパネルパターンＴＰＰは、図４及び図５に示すように、ＣＦ基板１１ａのうち、外面側（液晶層１１ｃ側とは反対側、表側、表示面側）に設けられる検出電極（第１位置検出電極、受信電極）３８と、内面側（液晶層１１ｃ側、裏側、表示面側とは反対側）に設けられる駆動電極（第２位置検出電極、送信電極）３９と、を少なくとも有してなる。このタッチパネルパターンＴＰＰによれば、検出電極３８と駆動電極３９との間に形成される電界を遮る物質（使用者の指など）の有無による静電容量の差によって位置入力（タッチ操作）の有無を検出するようことができるものとされる。タッチパネルパターンＴＰＰを構成する検出電極３８及び駆動電極３９は、ＣＦ基板１１ａの表示領域ＡＡに配されている。従って、液晶パネル１１における表示領域ＡＡは、入力位置を検出可能なタッチ領域とほぼ一致しており、非表示領域ＮＡＡが入力位置を検出不能な非タッチ領域とほぼ一致していることになる。そして、ＣＦ基板１１ａの内面における非タッチ領域（非表示領域ＮＡＡ）である、短辺方向（Ｘ軸方向）についての両端部には、駆動電極３９に接続されて駆動電極３９に駆動信号Ｖdriを伝送するための位置検出配線部４０がそれぞれ設けられている。
【００３５】
ＣＦ基板１１ａのうちの非タッチ領域である、長辺方向（Ｙ軸方向）についての一端部（図４及び図５に示す下側の端部）の外面側には、図４に示すように、制御回路基板１８とＣＦ基板１１ａとの間で信号を伝送するためのタッチパネル用フレキシブル基板４１が接続されている。タッチパネル用フレキシブル基板４１は、液晶パネル１１に接続された表示用のフレキシブル基板１７と平面に視て概ね重畳する配置とされる。制御回路基板１８には、位置検出制御を行うためのタッチコントローラ（位置検出制御部）４８（図１３を参照）が設けられており、上記したタッチパネル用フレキシブル基板４１は、ＣＦ基板１１ａの検出電極３８から出力される位置検出信号Ｖdetをタッチコントローラ４８に伝送するものとされる。また、ＣＦ基板１１ａの内面における非タッチ領域において、タッチパネル用フレキシブル基板４１と重畳する部分には、位置検出配線部４０のうち駆動電極３９に接続される側とは反対側の端部に接続されるＣＦ基板側コンタクト部（信号供給部、対向基板側信号供給部）４２が一対設けられている。これに対し、アレイ基板１１ｂのうちの内面における非表示領域ＮＡＡにおいて、ＣＦ基板側コンタクト部４２と重畳する部分には、ＣＦ基板側コンタクト部４２に対して導通接続されるアレイ基板側コンタクト部（素子基板側信号供給部）４３が一対設けられている。アレイ基板側コンタクト部４３は、アレイ基板１１ｂの内面に形成された図示しない接続配線を介してドライバ１６に接続されている。従って、制御回路基板１８のタッチコントローラ４８からの駆動信号Ｖdriは、フレキシブル基板１７、ドライバ１６、アレイ基板側コンタクト部４３、ＣＦ基板側コンタクト部４２、及び位置検出配線部４０を順次に介して駆動電極３９へと伝送されるようになっている。なお、ＣＦ基板側コンタクト部４２及びアレイ基板側コンタクト部４３は、液晶層１１ｃを封止するためのシール部（図示せず）と平面に視て重畳する配置とされるとともに、このシール部に含有させた導電性粒子を介して相互の導通接続が図られるものとされる。
【００３６】
検出電極３８は、図４及び図９に示すように、ＣＦ基板１１ａの外面における表示領域ＡＡにおいて、長辺方向、つまりＹ軸方向（第１方向、走査方向）に沿って延在する形で設けられており、平面形状が縦長の方形状をなしている。検出電極３８は、画素電極２０や共通電極２３などと同様に、ＩＴＯ（Indium Tin Oxide）或いはＺｎＯ（Zinc Oxide）といった透明電極材料を用いた透明電極膜４４からなるものとされる。このため、検出電極３８は、ＣＦ基板１１ａの表示領域ＡＡに配されているものの、使用者から視認され難いものとされる。検出電極３８は、その長さ寸法が後述するフローティング電極４５の長さ寸法よりも大きくされるのに加えて、表示領域ＡＡの長辺寸法よりもさらに大きなものとされており、その一方の端部（図４に示す下側の端部）が非表示領域ＮＡＡに達するとともにタッチパネル用フレキシブル基板４１に接続されている。検出電極３８は、その線幅が表示画素（画素部ＰＸ）のＸ軸方向についての寸法などに比べると、大きなものとなっており、複数の表示画素（画素部ＰＸ）の間に跨る大きさを有している（図７を参照）。具体的には、検出電極３８の線幅が数ｍｍ程度とされており、表示画素（画素部ＰＸ）のＸ軸方向についての寸法である数百μｍ程度よりも遙かに大きなものとされる。
【００３７】
検出電極３８は、図４及び図９に示すように、ＣＦ基板１１ａの外面における表示領域ＡＡにおいて、短辺方向、つまりＸ軸方向（第２方向、走査方向と直交する方向）について複数（図４では１２本）が間隔を空けて並んで配されている。Ｘ軸方向について隣り合う検出電極３８の間の間隔は、それぞれ等しいものとされており、複数の検出電極３８は、等ピッチ配列されていると言える。ＣＦ基板１１ａの外面における表示領域ＡＡには、各検出電極３８に対して平面視においてＸ軸方向についてそれぞれ隣り合う形で複数のフローティング電極４５が設けられている。複数のフローティング電極４５には、Ｘ軸方向について互いに隣り合う検出電極３８の間に挟まれる形で配されるものと、Ｘ軸方向について最も端に位置する検出電極３８に対してＸ軸方向について端側に隣り合う形で配されるものと、が含まれている。各フローティング電極４５は、各検出電極３８とは物理的に及び電気的に切り離されていて浮島状となっており、少なくともＸ軸方向について隣り合う検出電極３８との間で静電容量を形成するものとされる。従って、複数のフローティング電極４５のうち、Ｘ軸方向について互いに隣り合う検出電極３８の間に挟まれる形で配されるものは、Ｘ軸方向について左右に隣り合う２つの検出電極３８との間でそれぞれ静電容量を形成するのに対し、Ｘ軸方向について最も端に位置するものは、Ｘ軸方向について最も端に位置する１つの検出電極３８との間で静電容量を形成する。このようなフローティング電極４５が設けられることで、検出電極３８の容量値がより大きなものとなり、位置検出感度（Ｓ／Ｎ比）の向上を図る上で好適とされる。各フローティング電極４５は、後述する駆動電極３９に対しても平面視において重畳する配置とされているので、重畳する駆動電極３９との間で静電容量を形成するものとされる。フローティング電極４５は、検出電極３８と同じ透明電極膜４４からなり、ＣＦ基板１１ａの外面において検出電極３８と同層に配されている。つまり、フローティング電極４５及び検出電極３８を形成するに際しては、ＣＦ基板１１ａの外面上にベタ状の透明電極膜４４を成膜した後に、その透明電極膜４４をパターニングすることで、相互に電気的に独立したフローティング電極４５及び検出電極３８が形成されるようになっている。このフローティング電極４５により、ＣＦ基板１１ａのうちＸ軸方向について隣り合う検出電極３８の間の領域の透過率が、検出電極３８の配置領域の透過率と同等になるものとされ、もって検出電極３８の存在が使用者に視認され難いものとなっている。
【００３８】
検出電極３８に対してＸ軸方向について隣り合うフローティング電極４５は、図９に示すように、後述する複数の駆動電極３９に対して個々に重畳するようＹ軸方向について分割される複数の分割フローティング電極４５Ｓから構成されている。分割フローティング電極４５Ｓは、平面形状が縦長の方形状をなしており、その長辺寸法（Ｙ軸方向についての寸法）が検出電極３８の長辺寸法よりも短く且つ後述する駆動電極３９の幅寸法（Ｙ軸方向についての寸法）と同等とされている。そして、複数の分割フローティング電極４５Ｓは、Ｙ軸方向に沿って並ぶ複数の駆動電極３９に対して平面に視て個々に重畳するよう配置されている。これにより、各分割フローティング電極４５Ｓは、重畳する各駆動電極３９との間でそれぞれ個別に静電容量を形成するものとされており、重畳しない他の駆動電極３９の電位の影響を受け難いものとされる。また、１つのフローティング電極４５を構成する分割フローティング電極４５Ｓの数（フローティング電極４５の分割数）は、Ｙ軸方向に沿って並ぶ駆動電極３９の数と一致している。
【００３９】
駆動電極３９は、図５及び図１０に示すように、ＣＦ基板１１ａの内面における表示領域ＡＡにおいて、検出電極３８の延在方向であるＹ軸方向（第１方向、検出電極の延在方向）と直交するＸ軸方向（第２方向）に沿って延在する形で設けられている。駆動電極３９は、その長さ寸法が表示領域ＡＡの短辺寸法と同等とされるのに対し、その線幅が検出電極３８の線幅よりも幅広とされている。駆動電極３９は、ＣＦ基板１１ａの表示領域ＡＡの内面においてその延在方向と直交するＹ軸方向に沿って複数が並んで配されている。Ｙ軸方向について隣り合う駆動電極３９の間の間隔は、それぞれ等しいものとされており、複数の駆動電極３９は、等ピッチ配列されていると言える。そして、駆動電極３９は、その一部が検出電極３８及びフローティング電極４５と平面に視て交差しており、その交差部位同士がＣＦ基板１１ａのガラス基板ＧＳを挟んで対向状をなすとともにその間においてそれぞれ静電容量を形成することが可能とされる。この駆動電極３９は、検出電極３８及びフローティング電極４５を構成する透明電極膜４４に比べると導電性に優れた金属膜４６からなるものとされており、それにより配線抵抗の低減が図られている。駆動電極３９を構成する金属膜４６は、例えばアルミニウム、モリブデン、チタン、タングステン、銅、銀、金などの金属材料からなるものとされる。なお、駆動電極３９を構成する金属膜４６によりＣＦ基板側コンタクト部４２が構成されている。
【００４０】
駆動電極３９を構成する金属膜４６は、導電性には優れるものの透光性を殆ど有しておらず、そのためＣＦ基板１１ａの表示領域ＡＡに配される駆動電極３９が使用者に視認されることが懸念される。そこで、駆動電極３９は、図８及び図１２に示すように、複数本の分割駆動電極（分割第２位置検出電極、単位駆動電極、分岐駆動電極）３９Ｓから構成されるとともに、それら各分割駆動電極３９ＳがＣＦ基板１１ａの遮光部２５の一部と平面に視て重畳する配置とされている。駆動電極３９を構成する複数本の分割駆動電極３９Ｓは、Ｘ軸方向（第２方向）に沿って延在するとともに、遮光部２５のうちＸ軸方向に沿って延在する部分の上層側（アレイ基板１１ｂ側、液晶層１１ｃ側、ガラス基板ＧＳ側とは反対側）に積層する形で設けられている。このように、使用者から見て駆動電極３９が遮光部２５によって隠される配置とされることで、駆動電極３９にて外光が反射される事態が生じ難くなるとともに駆動電極３９が使用者に視認される事態が生じ難いものとされる。分割駆動電極３９Ｓは、Ｙ軸方向について間隔を空けて複数が並ぶ形で配されており、その間隔がＹ軸方向について隣り合うゲート配線２１の間の間隔（Ｙ軸方向についての画素部ＰＸ間の配列ピッチ、画素電極２０の長さ寸法）とほぼ等しいものとされる。各分割駆動電極３９Ｓは、ゲート配線２１とも平面に視て重畳する配置とされている。しかも、駆動電極３９を構成する分割駆動電極３９Ｓは、その線幅が遮光部２５におけるＸ軸方向に沿って延在する部分の幅寸法よりも小さなものとされているので、例えばＣＦ基板１１ａの製造過程において遮光部２５や駆動電極３９をパターニングする際に相対的な位置ずれが生じた場合であっても、分割駆動電極３９Ｓが遮光部２５と重畳配置される確実性が高いものとなる。また、分割駆動電極３９Ｓは、その線幅が検出電極３８の線幅よりも小さいものとされる。
【００４１】
位置検出配線部４０は、図５及び図１０に示すように、ＣＦ基板１１ａの内面おける非表示領域ＮＡＡにおいて、一方の端部が駆動電極３９の一端部に接続されるのに対し、他方の端部がＣＦ基板側コンタクト部４２に接続される形で配索形成されており、その大部分が駆動電極３９の延在方向と直交するＹ軸方向（第１方向）に沿って延在する形で設けられている。詳しくは、位置検出配線部４０は、駆動電極３９の一端部に接続される第１配線部４０ａと、第１配線部４０ａからＹ軸方向に沿って延在する第２配線部４０ｂと、第２配線部４０ｂからＣＦ基板側コンタクト部４２に至るまで屈曲した平面形状とされる第３配線部４０ｃと、から構成される。位置検出配線部４０は、駆動電極３９からＣＦ基板側コンタクト部４２に近づくに連れて線幅が段階的に狭くなっており、第１配線部４０ａの線幅が駆動電極３９の線幅とほぼ等しいのに対し、第２配線部４０ｂの線幅が第１配線部４０ａの線幅よりも狭いものとされ、さらには第３配線部４０ｃの線幅が第２配線部４０ｂの線幅よりも狭いものとされる。位置検出配線部４０は、その延面距離が接続対象となる駆動電極３９からＣＦ基板側コンタクト部４２に至るまでとなっている。従って、ＣＦ基板側コンタクト部４２に相対的に近い駆動電極３９に接続される位置検出配線部４０は、その延面距離が相対的に短いのに対し、ＣＦ基板側コンタクト部４２から相対的に遠い駆動電極３９に接続される位置検出配線部４０は、その延面距離が相対的に長いものとされる。
【００４２】
位置検出配線部４０は、駆動電極３９と同じ金属膜４６からなり、ＣＦ基板１１ａの内面において駆動電極３９と同層に配されている。このように位置検出配線部４０は、金属膜４６からなるものとされているので、その配線抵抗が十分に低いものとされており、それにより駆動電極３９に伝送する駆動信号Ｖdriに鈍りなどが生じ難いものとされている。位置検出配線部４０は、金属膜４６からなるため、透光性を殆ど有していないものの、ＣＦ基板１１ａにおける非表示領域ＮＡＡに配されているので、表示品位に悪影響を及ぼし難いものとなっている。
【００４３】
位置検出配線部４０は、図５及び図１０に示すように、駆動電極３９をその延在方向についての両側から挟み込む形で複数ずつ配されている。つまり、位置検出配線部４０は、非表示領域ＮＡＡ（非タッチ領域）のうち、表示領域ＡＡ（タッチ領域）をＸ軸方向について挟んだ左右両側に複数ずつ分けて配されている。そして、これらの位置検出配線部４０は、アレイ基板１１ｂの非表示領域ＮＡＡに設けられた各行制御回路部３７ｂと平面に視て重畳する形でそれぞれ配されている。これにより、各行制御回路部３７ｂからノイズが生じた場合でも、そのノイズを複数ずつの位置検出配線部４０によって遮蔽することができ、もってタッチパネルパターンＴＰＰの位置検出性能が劣化し難いものとなる。位置検出配線部４０のうち、一方（例えば図５に示す右側）の行制御回路部３７ｂと重畳する一方の位置検出配線部４０は、駆動電極３９の延在方向についての一方の端部に接続されるのに対し、他方（例えば図５に示す左側）の行制御回路部３７ｂと重畳する他方の位置検出配線部４０は、駆動電極３９の延在方向についての他方の端部に接続される。Ｙ軸方向に沿って並ぶ複数の駆動電極３９は、一方の端部が一方の位置検出配線部４０に接続されるものと、他方の端部が他方の位置検出配線部４０に接続されるものと、がＹ軸方向について交互に並ぶ配列とされている。より詳しくは、Ｙ軸方向についてＣＦ基板側コンタクト部４２側から数えて奇数番目の駆動電極３９は、他方の位置検出配線部４０に接続されるのに対し、偶数番目の駆動電極３９は、一方の位置検出配線部４０に接続されている。
【００４４】
ＣＦ基板１１ａの内面における非表示領域ＮＡＡには、図５及び図１０に示すように、各駆動電極３９における位置検出配線部４０に接続された側とは反対側の端部に対してＸ軸方向について隣り合う形でダミー配線部４７が設けられている。ダミー配線部４７は、Ｙ軸方向についての寸法が駆動電極３９の線幅（Ｙ軸方向についての寸法）とほぼ等しいものとされており、Ｘ軸方向に沿って並ぶ複数の駆動電極３９毎に個別に配置されている。詳しくは、ダミー配線部４７には、一方の位置検出配線部４０に接続された駆動電極３９における他方の端部に対して隣り合う形で配されるものと、他方の位置検出配線部４０に接続された駆動電極３９における一方の端部に対して隣り合う形で配されるものと、が含まれている。ダミー配線部４７は、Ｘ軸方向について隣り合う駆動電極３９と、Ｙ軸方向についてＣＦ基板側コンタクト部４２から遠い側に隣り合う位置検出配線部４０を構成する第２配線部４０ｂと、の間に挟み込まれる形で配されている。ダミー配線部４７は、Ｘ軸方向についての寸法が、当該ダミー配線部４７を挟み込む駆動電極３９と第２配線部４０ｂとの間の間隔よりも小さいものとされる。従って、Ｙ軸方向についてＣＦ基板側コンタクト部４２に近いダミー配線部４７と、ＣＦ基板側コンタクト部４２から遠いダミー配線部４７と、を比較すると、前者が後者よりもＸ軸方向についての寸法が小さなものとされる。このダミー配線部４７は、駆動電極３９及び位置検出配線部４０と同じ金属膜４６からなり、ＣＦ基板１１ａの内面において駆動電極３９及び位置検出配線部４０と同層に配されている。なお、ダミー配線部４７と、隣り合う第２配線部４０ｂと、の間の間隔は、例えば３μｍ〜１００μｍの範囲に含まれるようにするのが好ましい。
【００４５】
そして、ダミー配線部４７は、アレイ基板１１ｂの非表示領域ＮＡＡに設けられた行制御回路部３７ｂと平面に視て重畳する形で配されている。詳しくは、他方の位置検出配線部４０に接続された駆動電極３９における一方の端部に対して隣り合う形で配されるダミー配線部４７は、一方の行制御回路部３７ｂと平面に視て重畳するのに対し、一方の位置検出配線部４０に接続された駆動電極３９における他方の端部に対して隣り合う形で配される他方のダミー配線部４７は、他方の行制御回路部３７ｂと平面に視て重畳している。これらのダミー配線部４７（ＣＦ基板側コンタクト部４２から最も遠いものを除く）は、駆動電極３９のうち位置検出配線部４０に接続された側とは反対側の端部と、それに対してＸ軸方向について隣り合う位置検出配線部４０の第２配線部４０ｂと、の間に空けられた隙間を埋める形で配されている。その上で、ダミー配線部４７は、Ｘ軸方向について隣り合う駆動電極３９の端部、言い換えると駆動電極３９のうちの位置検出配線部４０に接続される側とは反対側の端部に接続されている。これにより、行制御回路部３７ｂからノイズが生じた場合でも、そのノイズを位置検出配線部４０及びダミー配線部４７が協働して高い効率でもって遮蔽することができる。しかも、製造過程において、ＣＦ基板１１ａの内面に、駆動電極３９、位置検出配線部４０、ＣＦ基板側コンタクト部４２、及びダミー配線部４７を構成する金属膜４６を成膜して同金属膜４６をパターニングした状態において、ＣＦ基板側コンタクト部４２とダミー配線部４７とに導通検査装置を構成する導通検査パッドを宛がって通電を試みることで、駆動電極３９及び位置検出配線部４０に断線などの不良が生じているか否かを検出することができる。つまり、ダミー配線部４７を駆動電極３９及び位置検出配線部４０の通電検査に用いることが可能とされる。なお、このダミー配線部４７は、位置入力機能に関しては特に機能を発揮することはないものとされる。
【００４６】
位置検出配線部４０は、図１０及び図１１に示すように、第２配線部４０ｂの線幅が、接続対象となる駆動電極３９によって異なるものとされる。詳しくは、位置検出配線部４０は、第１配線部４０ａ及び第３配線部４０ｃの線幅が接続対象となる駆動電極３９に拘わらずほぼ一定とされるのに対し、第２配線部４０ｂの線幅については、ＣＦ基板側コンタクト部４２に近い駆動電極３９に接続されるものほど狭く、ＣＦ基板側コンタクト部４２から遠い駆動電極３９に接続されるものほど広くなるよう構成されている。ここで、ＣＦ基板側コンタクト部４２から遠い駆動電極３９に接続される位置検出配線部４０は、ＣＦ基板側コンタクト部４２に近い駆動電極３９に接続される位置検出配線部４０に比べると、相対的に延面距離が相対的に長いため、配線抵抗が高くなりがちとされるものの、上記のように第２配線部４０ｂの線幅を相対的に広くすることで、配線抵抗を低く抑えることができる。これにより、ＣＦ基板側コンタクト部４２から遠い駆動電極３９に接続される位置検出配線部４０と、ＣＦ基板側コンタクト部４２に近い駆動電極３９に接続される位置検出配線部４０と、の間に生じ得る配線抵抗の差を緩和することができ、それにより位置検出性能が劣化し難いものとなる。なお、位置検出配線部４０の第１配線部４０ａのＹ軸方向についての寸法（線幅）は、ほぼ一定とされるものの、第１配線部４０ａのＸ軸方向についての寸法は、ＣＦ基板側コンタクト部４２に近い駆動電極３９に接続されるものほど小さくなっている。
【００４７】
次に、ＣＦ基板１１ａの内面側（液晶層１１ｃ側、アレイ基板１１ｂとの対向面側）に既知のフォトリソグラフィ法などによって積層形成された各種の膜について説明する。ＣＦ基板１１ａには、図７及び図８に示すように、下層（ガラス基板ＧＳ、表側）側から順に、遮光部２５及びカラーフィルタ２４、金属膜４６、平坦化膜２６が積層形成されている。また、図示は省略しているが、平坦化膜２６の上層側には、既述した配向膜が積層されている。また、本実施形態においては、図示は省略しているが、平坦化膜２６の上層側には、アレイ基板１１ｂ側に向けて液晶層１１ｃを貫く形で突出する柱状をなすフォトスペーサ部が設けられており、主に表示領域ＡＡにおいてセルギャップを一定に維持することが可能とされる。
【００４８】
遮光部２５は、図７及び図８に示すように、ＣＦ基板１１ａをなすガラス基板ＧＳの表面において表示領域ＡＡと非表示領域ＮＡＡとに跨る形で配されており、例えば感光性樹脂材料に遮光材料（例えばカーボンブラック）を含有させてなることで高い遮光性を有している。遮光部２５は、表示領域ＡＡに配される部分が平面に視て格子状にパターニングされているのに対し、非表示領域ＮＡＡに配される部分が平面に視て額縁状（枠状）にパターニングされている。遮光部２５のうち、表示領域ＡＡに配される部分は、Ｙ軸方向に沿って延在する部分と、Ｘ軸方向に沿って延在する部分と、を相互に繋いでなり、これらの部分により画素部ＰＸが画定されている。詳しくは、表示領域ＡＡにおいて遮光部２５のうちＹ軸方向に沿って延在する部分は、図１２に示すように、Ｘ軸方向について画素部ＰＸの短辺寸法分の間隔（Ｘ軸方向についての配列ピッチ）を空けて多数本が間欠的に並んで配されているのに対し、Ｘ軸方向に沿って延在する部分は、Ｙ軸方向について画素部ＰＸの長辺寸法分の間隔（Ｙ軸方向についての配列ピッチ）を空けて多数本が間欠的に並んで配されている。カラーフィルタ２４は、図７及び図８に示すように、表示領域ＡＡに配されるとともに、後述するアレイ基板１１ｂ側の画素電極２０の配置に応じて島状にパターニングされており、例えば感光性樹脂材料に着色のための顔料を含有させてなる。詳しくは、カラーフィルタ２４は、ＣＦ基板１１ａの表示領域ＡＡにおいて、アレイ基板１１ｂ側の各画素電極２０と平面に視て重畳する位置に行列状（マトリクス状）に平面配置される多数の着色部から構成されている。各着色部は、平面に視て縦長の方形状をなしている（図示せず）。カラーフィルタ２４は、赤色、緑色、青色をそれぞれ呈する各着色部が行方向（Ｘ軸方向）に沿って交互に繰り返し並ぶことで着色部群を構成し、その着色部群が列方向（Ｙ軸方向）に沿って多数並ぶ配置とされる。また、表示領域ＡＡにおいて隣り合う着色部の間は、遮光部２５における格子状の部分によって仕切られることで、画素部ＰＸ間の混色が防がれている。金属膜４６は、遮光部２５の上層側に積層されており、表示領域ＡＡにおいては遮光部２５の格子状をなす部分のうちのＸ軸方向に沿って延在する部分と重畳するよう横縞状のパターンとされることで、駆動電極３９を構成している（図１４）。金属膜４６のうち、非表示領域ＮＡＡに配される部分は、位置検出配線部４０、ＣＦ基板側コンタクト部４２、及びダミー配線部４７をそれぞれ構成している。平坦化膜２６は、遮光部２５、カラーフィルタ２４、及び金属膜４６の上層側に積層されるとともに、表示領域ＡＡと非表示領域ＮＡＡとに跨る形でベタ状のパターンとされており、例えばポリメタクリル酸メチル樹脂（ＰＭＭＡ）などのアクリル系樹脂材料などからなるものとされる。平坦化膜２６は、その膜厚がカラーフィルタ２４、遮光部２５、及び金属膜４６よりも大きくされることで、ＣＦ基板１１ａにおける液晶層１１ｃ側の面（配向膜が配される面）を好適に平坦化している。平坦化膜２６は、金属膜４６からなる駆動電極３９、位置検出配線部４０、ダミー配線部４７をアレイ基板１１ｂ側から覆う形で配されていることになる。
【００４９】
続いて、この液晶表示装置１０における表示及び位置検出の制御に関して図１３及び図１４を用いて詳しく説明する。図１３は、液晶表示装置１０における表示及び位置検出の制御に関するブロック図であり、図１４は、液晶表示装置１０における表示及び位置検出の制御に関するタイミングチャートである。表示及び位置検出の制御に係る構成に関しては、液晶表示装置１０には、図１３に示すように、表示及び位置検出の制御を行うための主制御部４９と、主制御部４９から供給される映像信号及び制御信号に基づいて多重化データ信号Ｖsig及び分離制御信号Ｖselを生成するドライバ１６と、ドライバ１６から供給される多重化データ信号Ｖsig及び分離制御信号Ｖselに基づいて各色の画素部ＰＸに対応付けられたデータ信号Ｖpixを生成して対応する各ソース配線２２に振り分けて供給する列制御回路部３７ａと、主制御部４９から供給される制御信号に基づいて走査信号Ｖscanを生成して各ゲート配線２１に対して順次に走査する形で供給する行制御回路部３７ｂと、主制御部４９から出力される制御信号に基づいてタッチパネルパターンＴＰＰを構成する駆動電極３９に駆動信号Ｖdriを供給して駆動電極３９を駆動するとともに検出電極３８から出力される位置検出信号Ｖdetを検出するタッチコントローラ４８と、が備えられている。このうち、主制御部４９及びタッチコントローラ４８は、制御回路基板１８に設けられており、フレキシブル基板１７及びタッチパネル用フレキシブル基板４１を介して液晶パネル１１に接続されている。ドライバ１６、列制御回路部３７ａ、及び行制御回路部３７ｂは、既述した通り液晶パネル１１に設けられている。タッチコントローラ４８は、駆動電極３９に駆動信号Ｖdriを供給して駆動電極３９を駆動するタイミングと、検出電極３８から出力される位置検出信号Ｖdetを検出するタイミングと、を制御するためのタイミング制御部５０を備えている。また、主制御部４９は、アレイ基板１１ｂの共通電極２３に共通電位信号（基準電位信号）Ｖcomを供給するものとされる。
【００５０】
次に、液晶表示装置１０における表示の制御に関して詳しく説明する。主制御部４９は、図１４に示すように、Ｘ軸方向に沿って並んで１つの行を構成する画素部ＰＸ群を一括して選択して駆動する期間を一表示期間とし、この表示期間が２回で１つの単位駆動期間（タイミングｄｔ１〜タイミングｄｔ１９）を構成するよう、表示の制御を行うものとされる。詳しくは、主制御部４９により制御される行制御回路部３７ｂは、表示領域ＡＡにおいて走査始端側から数えてｎ行目のゲート配線２１（ＴＦＴ１９群）に走査信号Ｖscanを供給する第１の表示期間（タイミングｄｔ１〜タイミングｄｔ１０）と、その次のｎ＋１行目のゲート配線２１に走査信号Ｖscanを供給する第２の表示期間（タイミングｄｔ１０〜タイミングｄｔ１９）と、が１つの単位駆動期間を構成するよう、制御を行っている。行制御回路部３７ｂは、１つの表示期間に、ゲート配線２１に供給される走査信号Ｖscanの信号レベルが高レベルとされてそのゲート配線２１に接続されるＴＦＴ１９群が駆動される走査書き込み期間（タイミングｄｔ２〜タイミングｄｔ９、タイミングｄｔ１１〜タイミングｄｔ１８）と、ゲート配線２１に供給される走査信号Ｖscanの信号レベルが低レベルとされてＴＦＴ１９群の駆動が休止される休止期間（タイミングｄｔ９〜タイミングｄｔ１０、タイミングｄｔ１８〜タイミングｄｔ１９）と、が含まれるよう、制御を行っている。この休止期間は、走査信号Ｖscanの書き込みが行われない期間（走査非書き込み期間）となっている。
【００５１】
そして、主制御部４９は、図１４に示すように、１つの走査書き込み期間に、３色の各画素部ＰＸに対応する各ＴＦＴ１９にデータ信号Ｖpixを時分割して供給するデータ書き込み期間（タイミングｄｔ３〜タイミングｄｔ４、タイミングｄｔ５〜タイミングｄｔ６、タイミングｄｔ７〜タイミングｄｔ８、タイミングｄｔ１２〜タイミングｄｔ１３、タイミングｄｔ１４〜タイミングｄｔ１５、タイミングｄｔ１６〜タイミングｄｔ１７）が３つ含まれるよう、表示を制御している。詳しくは、主制御部４９により制御される列制御回路部３７ａは、ドライバ１６から供給される多重化データ信号Ｖsigを、各色に係る分離制御信号Ｖsel（ＶselR，ＶselG，ＶselB）に基づいて各色に係るデータ信号ＶpixR，ＶpixG，ＶpixBに分離し、赤色のデータ信号ＶpixR、緑色のデータ信号ＶpixG、青色のデータ信号ＶpixB、の順で時分割して対応する色の各画素部ＰＸに接続された各ソース配線２２に供給している。各ソース配線２２に供給された各データ信号ＶpixR，ＶpixG，ＶpixBは、各色の画素部ＰＸを構成する各ＴＦＴ１９に順次に供給されるが、このうち、上記した走査信号Ｖscanに基づいて駆動された行の各ＴＦＴ１９群に接続された各画素電極２０のみが選択的に充電される。なお、赤色のデータ書き込み期間（タイミングｄｔ３〜タイミングｄｔ４、タイミングｄｔ１２〜タイミングｄｔ１３）と、緑色のデータ書き込み期間（タイミングｄｔ５〜タイミングｄｔ６、タイミングｄｔ１４〜タイミングｄｔ１５）と、青色のデータ書き込み期間（タイミングｄｔ７〜タイミングｄｔ８、タイミングｄｔ１６〜タイミングｄｔ１７）と、の間（タイミングｄｔ４〜タイミングｄｔ５、タイミングｄｔ６〜タイミングｄｔ７、タイミングｄｔ８〜タイミングｄｔ１２、タイミングｄｔ１３〜タイミングｄｔ１４、タイミングｄｔ１５〜タイミングｄｔ１６、タイミングｄｔ１７〜タイミングｄｔ１９）は、それぞれデータ信号ＶpixR，ＶpixG，ＶpixBの書き込みが行われない期間（データ非書き込み期間）となっている。
【００５２】
続いて、液晶表示装置１０における位置検出の制御に関して詳しく説明する。主制御部４９は、図１４に示すように、表示期間に含まれる走査書き込み期間中に、少なくとも駆動電極３９に駆動信号Ｖdriを供給して駆動電極３９を駆動するよう、位置検出の制御を行うものとされる。つまり、主制御部４９により制御されるタッチコントローラ４８は、走査書き込み期間と、駆動電極３９に駆動信号Ｖdriが供給されて駆動電極３９が駆動される位置検出期間（タイミングｐｔ１〜タイミングｐｔ２、タイミングｐｔ３〜タイミングｐｔ４）と、が時間的に重なるよう、制御を行っている。本実施形態では、位置検出期間の全域が、走査書き込み期間の大部分と時間的に重なるものとされる。このようにすれば、従来のように走査書き込み期間外において駆動信号Ｖdriの供給を行う場合に比べると、検出電極３８から出力される位置検出信号Ｖdetを検出するタイミングに係る自由度が高いものとなる。これにより、位置検出のタイミングを、表示に伴って生じるノイズの少ないタイミングに同期させることが可能となり、もって位置検出感度を高いものとすることができる。しかも、走査書き込み期間中に、駆動電極３９に駆動信号Ｖdriを供給して駆動電極３９を駆動するようにしているから、液晶パネル１１の高精細化（例えば解像度が４Ｋ化されるなど）に伴って表示期間が短くなるとともに走査書き込み期間外の期間が短くなっても、十分に高い位置検出感度を得ることができ、また液晶パネル１１の大型化に伴って位置検出に要する期間が長くなっても、その期間を十分に確保することができる。さらには、従来では、本来は表示に要される共通電極を利用して位置検出を行っていたため、表示と位置検出とを切り替えるための回路部が必要で、その回路部をアレイ基板の非表示領域に設ける必要があるものの、本実施形態では共通電極２３とは別途に設けた検出電極３８を用いて位置検出を行うようにしているから、表示と位置検出とを切り替えるための回路部が不要となる。これにより、非表示領域ＮＡＡの幅を狭くすることができ、もって狭額縁化を図る上で好適となる。なお、位置検出期間では、タッチコントローラ４８により駆動電極３９に供給される駆動信号Ｖdriの信号レベルが高レベルとされて駆動電極３９が駆動されるのに対し、位置検出期間外（非位置検出期間）では、駆動信号Ｖdriの信号レベルが低レベルとされて駆動電極３９の駆動が休止されるようになっている。
【００５３】
より具体的には、主制御部４９により制御されるタッチコントローラ４８は、位置検出期間を開始するタイミングｐｔ１（タイミングｐｔ３）が、赤色のデータ書き込み期間が終了されるタイミングｄｔ４（タイミングｄｔ１３）と、緑色のデータ書き込み期間が開始されるタイミングｄｔ５（タイミングｄｔ１４）と、の間となり、位置検出期間を終了するタイミングｐｔ２（タイミングｐｔ４）が、青色のデータ書き込み期間が終了されるタイミングｄｔ８（タイミングｄｔ１７）と、休止期間が開始されるタイミングｄｔ９（タイミングｄｔ１８）と、の間となるよう、位置検出の制御を行っている。つまり、位置検出期間は、緑色と青色の２つ（複数）のデータ書き込み期間に跨る形で行われるものとされる。そして、タッチコントローラ４８は、位置検出期間のうち、青色のデータ書き込み期間が終了されるタイミングｄｔ８（タイミングｄｔ１７）と、休止期間が開始されるタイミングｄｔ９（タイミングｄｔ１８）と、の間、つまりデータ書き込み期間が終了してデータ信号Ｖpixが書き込まれないデータ非書き込み期間にて検出電極３８から出力される位置検出信号Ｖdetの検出（タッチセンシング）を行うようにしている。具体的には、タッチコントローラ４８は、駆動電極３９に供給される駆動信号Ｖdriの信号レベルが高レベルから低レベルへと遷移する手前のタイミング（高レベルが終了する直前のタイミング）で、検出電極３８から出力される位置検出信号Ｖdetの検出を行っており、その検出した位置検出信号Ｖdetを演算処理することで、当該位置検出期間に係る検出データを抽出し、その抽出した検出データに基づいて使用者が入力した位置情報を取得し、もって入力位置の検出を行うものとされている。なお、図１４では、位置検出信号Ｖdetを検出するタイミングを黒丸で示している。ここで、データ書き込み期間中は、ノイズが発生し易い傾向にあるのに対し、データ非書き込み期間中は、ノイズが発生し難い傾向にある。従って、上記のようにデータ非書き込み期間中に検出電極３８から出力される位置検出信号Ｖdetを検出することで、データ書き込み期間中に発生するノイズの影響を受けることなく位置検出を行うことができる。これにより、位置検出感度をより高いものとすることができる。
【００５４】
また、タッチコントローラ４８は、液晶パネル１１の画面をＹ軸方向について駆動電極３９の幅と同一となる複数のブロックに区分したとき、各ブロックに含まれる複数（例えば３０）の行に含まれる各ＴＦＴ１９群の駆動を行う複数の表示期間の間、そのブロックと重畳する駆動電極３９に駆動信号Ｖdriの供給を繰り返し行うよう、制御を行っている。
【００５５】
以上説明したように本実施形態の液晶表示装置（位置入力機能付き表示装置）１０は、ＴＦＴ（表示素子）１９と、ＴＦＴ１９に接続される画素電極２０と、画素電極２０との間で静電容量を形成する共通電極２３と、少なくともＴＦＴ１９が配されるアレイ基板１１ｂと、アレイ基板１１ｂと対向状をなす形で間隔を空けて配されるＣＦ基板（対向基板）１１ａと、ＣＦ基板１１ａに設けられてその板面に沿う方向（Ｙ軸方向）に沿って延在する検出電極３８と、ＣＦ基板１１ａに設けられてその板面に沿い且つ検出電極３８の延在方向と直交する方向（Ｘ軸方向）に沿って延在し、検出電極３８と平面視において重畳していてその重畳する検出電極３８との間で静電容量を形成する駆動電極３９と、ＴＦＴ１９に走査信号Ｖscan及びデータ信号Ｖpixを供給して表示駆動を行う表示駆動部であるドライバ１６及び行制御回路部３７ｂと、駆動電極３９に駆動信号Ｖdriを供給するとともに検出電極３８から出力される位置検出信号Ｖdetを検出することで位置検出制御を行うタッチコントローラ（位置検出制御部）４８であって、少なくとも表示駆動部である行制御回路部３７ｂによりＴＦＴ１９に走査信号Ｖscanが供給されてＴＦＴ１９が駆動される走査書き込み期間中に、駆動電極３９に駆動信号Ｖdriを供給して駆動電極３９を駆動するタッチコントローラ４８と、を備える。
【００５６】
このようにすれば、表示駆動部であるドライバ１６及び行制御回路部３７ｂは、ＴＦＴ１９に走査信号Ｖscan及びデータ信号Ｖpixを所定のタイミングで供給することで、ＴＦＴ１９に接続された画素電極２０を充電し、その画素電極２０と共通電極２３との間に電位差を生じさせることで、画像を表示させることができる。タッチコントローラ４８は、駆動電極３９に駆動信号Ｖdriを供給して駆動電極３９を駆動するとともに検出電極３８から出力される位置検出信号Ｖdetを検出することで、使用者が入力した位置情報を取得し、入力位置の検出を行うことができる。ここで、タッチコントローラ４８は、少なくとも表示駆動部である行制御回路部３７ｂによりＴＦＴ１９に走査信号Ｖscanが供給されてＴＦＴ１９が駆動される走査書き込み期間中に、駆動電極３９に駆動信号Ｖdriを供給して駆動電極３９を駆動するようにしているから、従来のように走査書き込み期間外において駆動信号の供給を行う場合に比べると、検出電極３８から出力される位置検出信号Ｖdetを検出するタイミングに係る自由度が高いものとなる。これにより、位置検出のタイミングを、表示に伴って生じるノイズの少ないタイミングに同期させることが可能となり、もって位置検出感度を高いものとすることができる。
【００５７】
しかも、走査書き込み期間中に、駆動電極３９に駆動信号Ｖdriを供給して駆動電極３９を駆動するようにしているから、高精細化に伴って表示期間が短くなるとともに走査書き込み期間外の期間が短くなっても、十分に高い位置検出感度を得ることができ、また大型化に伴って位置検出に要する期間が長くなっても、その期間を十分に確保することができる。さらには、従来では、本来は表示に要される共通電極２３を利用して位置検出を行っていたため、表示と位置検出とを切り替えるための回路部が必要で、その回路部をアレイ基板１１ｂの非表示領域に設ける必要があるものの、上記したように共通電極２３とは別途に設けた検出電極３８を用いて位置検出を行うようにしているから、表示と位置検出とを切り替えるための回路部が不要となる。これにより、非表示領域の幅を狭くすることができ、もって狭額縁化を図る上で好適となる。
【００５８】
また、表示駆動部であるドライバ１６は、複数のＴＦＴ１９に供給される複数のデータ信号ＶpixR，ＶpixG，ＶpixBを多重化した多重化データ信号Ｖsigを出力するとともに、多重化データ信号Ｖsigを複数のデータ信号ＶpixR，ＶpixG，ＶpixBに分離するための分離制御信号Ｖselを出力するものとされるのに対し、表示駆動部であるドライバ１６から出力される多重化データ信号Ｖsig及び分離制御信号Ｖselが入力されるとともに分離制御信号Ｖselに基づいて多重化データ信号Ｖsigから複数のデータ信号ＶpixR，ＶpixG，ＶpixBを分離して複数のＴＦＴ１９に時分割して供給する列制御回路部（分離制御部）３７ａを備えており、タッチコントローラ４８は、列制御回路部３７ａにより複数のデータ信号ＶpixR，ＶpixG，ＶpixBが時分割されて複数のＴＦＴ１９に供給される複数のデータ書き込み期間に跨る形で、駆動電極３９に駆動信号Ｖdriを供給して駆動電極３９を駆動するとともに、データ書き込み期間が終わったタイミングで検出電極３８から出力される位置検出信号Ｖdetを検出するものとされる。このようにすれば、表示駆動部であるドライバ１６から出力される多重化データ信号Ｖsig及び分離制御信号Ｖselに基づいて、列制御回路部３７ａは、多重化データ信号Ｖsigから複数のデータ信号ＶpixR，ＶpixG，ＶpixBを分離して複数のＴＦＴ１９に時分割して供給することで、複数のＴＦＴ１９の駆動がなされる。これにより、表示駆動部であるドライバ１６と列制御回路部３７ａとの接続に係る配線の数を削減することができる。ここで、列制御回路部３７ａによりデータ信号ＶpixがＴＦＴ１９に供給されるデータ書き込み期間中は、ノイズが発生し易いものとされているものの、タッチコントローラ４８は、複数のデータ書き込み期間に跨る形で駆動電極３９に駆動信号Ｖdriを供給して駆動電極３９を駆動するとともに、データ書き込み期間が終わったタイミングで検出電極３８から出力される位置検出信号Ｖdetを検出しているので、データ書き込み期間中に発生するノイズの影響を受けることなく、位置検出を行うことができる。これにより、位置検出感度をより高いものとすることができる。
【００５９】
また、ＴＦＴ１９は、アレイ基板１１ｂの板面に沿って複数ずつが行列状に並んで設けられているのに対し、表示駆動部である行制御回路部３７ｂは、行列状に並ぶＴＦＴ１９に対して行方向に沿って走査する形で順次に走査信号Ｖscanを供給してＴＦＴ１９を駆動するようにしており、タッチコントローラ４８は、順次に行われる走査書き込み期間のそれぞれの中で駆動電極３９に駆動信号Ｖdriを供給して駆動電極３９を駆動するものとされる。このようにすれば、行列状に並ぶＴＦＴ１９には、行方向に沿って走査する形で順次に走査信号Ｖscanが供給されることでその駆動がされており、それらの順次に行われる走査書き込み期間のそれぞれの中で駆動電極３９に駆動信号Ｖdriが供給されて駆動電極３９の駆動がなされているから、走査書き込み期間毎に駆動信号Ｖdriに基づく位置検出信号Ｖdetを繰り返し検出することができる。これにより、位置検出感度をより高いものとすることができる。
【００６０】
また、画素電極２０及び共通電極２３は、アレイ基板１１ｂにおけるＣＦ基板１１ａ側の板面にそれぞれ設けられているのに対し、検出電極３８は、ＣＦ基板１１ａにおける一方の板面に設けられるとともに、駆動電極３９は、ＣＦ基板１１ａにおける他方の板面に設けられている。このようにすれば、ＦＦＳ（Fringe Field Switching）モードやＩＰＳ（In-Plane Switching）モードのものに適用する上で好適となる。
【００６１】
＜実施形態２＞
本発明の実施形態２を図１５によって説明する。この実施形態２では、位置検出期間のタイミングを変更したものを示す。なお、上記した実施形態１と同様の構造、作用及び効果について重複する説明は省略する。
【００６２】
本実施形態に係る主制御部は、図１５に示すように、表示期間に含まれる走査書き込み期間と休止期間とに跨る形で駆動電極に駆動信号Ｖdriを供給して駆動電極を駆動するとともに、休止期間中に検出電極から出力される位置検出信号Ｖdetを検出するよう、タッチコントローラを制御している。つまり、位置検出期間（タイミングｐｔ５〜タイミングｐｔ６、タイミングｐｔ７〜タイミングｐｔ８）は、走査書き込み期間と休止期間とに跨る形で行われるものとされる。表示期間に含まれる休止期間では、ＴＦＴの駆動が休止されるので、ノイズが発生し難いものとされており、この休止期間に位置検出期間を時間的に重なるようにすることで、
位置検出に際してＴＦＴの駆動に伴って発生するノイズの影響を受け難いものとなり、もって位置検出感度をより高いものとすることができる。
【００６３】
詳しくは、主制御部により制御されるタッチコントローラは、位置検出期間を開始するタイミングｐｔ５（タイミングｐｔ７）が、緑色のデータ書き込み期間が終了されるタイミングｄｔ６（タイミングｄｔ１５）と、青色のデータ書き込み期間が開始されるタイミングｄｔ７（タイミングｄｔ１６）と、の間となり、位置検出期間を終了するタイミングｐ６（タイミングｐｔ８）が、休止期間が開始されるタイミングｄｔ９（タイミングｄｔ１８）と、休止期間が終了されるタイミングｄｔ１０（タイミングｄｔ１９）と、の間となるよう、位置検出の制御を行っている。つまり、位置検出期間は、表示期間において最後のデータ書き込み期間である青色のデータ書き込み期間と休止期間とに跨る形で行われるものとされる。そして、タッチコントローラは、位置検出期間のうち、走査書き込み期間が終了した休止期間、つまり走査信号Ｖscanが書き込まれない走査非書き込み期間（タイミングｄｔ９〜タイミングｄｔ１０、タイミングｄｔ１８〜タイミングｄｔ１９）にて検出電極から出力される位置検出信号Ｖdetを検出するようにしている。
【００６４】
以上説明したように本実施形態によれば、表示駆動部であるドライバ及び行制御回路部は、表示期間に、走査書き込み期間と、ＴＦＴの駆動が休止される休止期間と、が含まれるよう表示駆動を行うものとされており、タッチコントローラは、走査書き込み期間と休止期間とに跨る形で駆動電極に駆動信号Ｖdriを供給して駆動電極を駆動するとともに、休止期間中に検出電極から出力される位置検出信号Ｖdetを検出するものとされる。このようにすれば、表示期間に含まれる休止期間では、ＴＦＴの駆動が休止されるので、ノイズが発生し難いものとされる。その点、タッチコントローラは、走査書き込み期間と休止期間とに跨る形で駆動電極に駆動信号Ｖdriを供給して駆動電極を駆動するとともに、休止期間中に検出電極から出力される位置検出信号Ｖdetを検出するようにしているから、位置検出に際してノイズの影響を受け難いものとなり、もって位置検出感度をより高いものとすることができる。
【００６５】
＜実施形態３＞
本発明の実施形態３を図１６によって説明する。この実施形態３では、上記した実施形態１から一走査書き込み期間あたりの位置検出期間の回数を変更したものを示す。なお、上記した実施形態１と同様の構造、作用及び効果について重複する説明は省略する。
【００６６】
本実施形態に係る主制御部は、図１６に示すように、表示期間に含まれる走査書き込み期間中に駆動電極に駆動信号Ｖdriを２回供給して駆動電極を駆動するよう、タッチコントローラを制御している。つまり、位置検出期間（タイミングｐｔ９〜タイミングｐｔ１０、タイミングｐｔ１１〜タイミングｐｔ１２、タイミングｐｔ１３〜タイミングｐｔ１４、タイミングｐｔ１５〜タイミングｐｔ１６）は、各走査書き込み期間に２回ずつ含まれるものとされる。これにより、位置検出結果を統計的に解析することが可能となるので、位置検出結果のばらつきに起因する位置検出感度の劣化を抑制することができる。
【００６７】
詳しくは、主制御部により制御されるタッチコントローラは、一走査書き込み期間中において１回目の位置検出期間を開始するタイミングｐｔ９（タイミングｐｔ１３）が、赤色のデータ書き込み期間が終了されるタイミングｄｔ４（タイミングｄｔ１３）と、緑色のデータ書き込み期間が開始されるタイミングｄｔ５（タイミングｄｔ１４）と、の間となり、１回目の位置検出期間を終了するタイミングｐ１０（タイミングｐｔ１４）が、緑色のデータ書き込み期間が終了されるタイミングｄｔ６（タイミングｄｔ１５）と、青色のデータ書き込み期間が開始されるタイミングｄｔ７（タイミングｄｔ１６）と、の間となるよう、位置検出の制御を行っている。さらには、タッチコントローラは、一走査書き込み期間中において２回目の位置検出期間を開始するタイミングｐｔ１１（タイミングｐｔ１５）が、緑色のデータ書き込み期間が終了されるタイミングｄｔ６（タイミングｄｔ１５）と、青色のデータ書き込み期間が開始されるタイミングｄｔ７（タイミングｄｔ１６）と、の間となり、２回目の位置検出期間を終了するタイミングｐ１２（タイミングｐｔ１６）が、青色のデータ書き込み期間が終了されるタイミングｄｔ８（タイミングｄｔ１７）と、休止期間が開始されるタイミングｄｔ９（タイミングｄｔ１８）と、の間となるよう、位置検出の制御を行っている。つまり、位置検出期間は、一走査書き込み期間中に２回含まれるとともに、複数のデータ書き込み期間に跨ることなく一つのデータ書き込み期間のみと時間的に重なるよう制御されている。そして、タッチコントローラは、位置検出期間のうち、データ書き込み期間が終了してデータ信号ＶpixR，ＶpixG，ＶpixBが書き込まれないデータ非書き込み期間（タイミングｄｔ６〜タイミングｄｔ７、タイミングｄｔ８〜タイミングｄｔ９、タイミングｄｔ１５〜タイミングｄｔ１６、タイミングｄｔ１７〜タイミングｄｔ１８）にて検出電極から出力される位置検出信号Ｖdetを検出するようにしている。
【００６８】
以上説明したように本実施形態によれば、タッチコントローラは、走査書き込み期間中に、駆動電極に駆動信号Ｖdriを複数回供給して駆動電極を駆動するものとされる。このようにすれば、一走査書き込み期間において位置検出を複数回行うことができるので、その位置検出結果を統計的に解析することが可能となる。これにより、位置検出結果のばらつきに起因する位置検出感度の劣化を抑制することができる。
【００６９】
＜実施形態４＞
本発明の実施形態４を図１７によって説明する。この実施形態４では、上記した実施形態１から一単位駆動期間あたりの位置検出期間の回数を変更したものを示す。なお、上記した実施形態１と同様の構造、作用及び効果について重複する説明は省略する。
【００７０】
本実施形態に係る主制御部は、図１７に示すように、連続する２つの表示期間にそれぞれ含まれる２つの走査書き込み期間の中から選択される１つの走査書き込み期間中に駆動電極に駆動信号Ｖdriを供給して駆動電極を駆動するよう、タッチコントローラを制御している。つまり、位置検出期間（タイミングｐｔ１７〜タイミングｐｔ１８）は、一単位駆動期間あたり１回のみ行われるとともに、一方の走査書き込み期間とは時間的に重なるものの、他方の走査書き込み期間とは時間的に重ならないよう行われている。ここで、液晶表示装置が高精細化されると、走査書き込み期間が短くなり、さらには液晶表示装置が大型化されると、位置検出に要する期間が長くなる傾向にある。このような場合には、各走査書き込み期間毎に位置検出を行うのが困難になる可能性がある。その点、本実施形態では、連続する２つの表示期間のうちの一方に含まれる走査書き込み期間でのみ選択的に位置検出を行うようにしているから、高精細化に伴って走査書き込み期間が短くなり、さらには大型化に伴って位置検出に要する期間が長くなった場合にも容易に対応することができ、もって高精細化及び大型化を図る上で好適とされる。
【００７１】
詳しくは、主制御部により制御されるタッチコントローラは、位置検出期間を開始するタイミングｐｔ１７が、２回目の表示期間に含まれる走査書き込み期間が開始されるタイミングｄｔ１１と、赤色のデータ書き込み期間が開始されるタイミングｄｔ１２と、の間となり、位置検出期間を終了するタイミングｐｔ１８が、休止期間が開始されるタイミングｄｔ１８と、休止期間が終了されるタイミングｄｔ１９と、の間となるよう、位置検出の制御を行っている。つまり、位置検出期間は、２回目の表示期間において３つのデータ書き込み期間の全てに跨る形で行われるものとされる。そして、タッチコントローラは、位置検出期間のうち、走査書き込み期間が終了した休止期間、つまり走査信号Ｖscanが書き込まれない走査非書き込み期間（タイミングｄｔ１８〜タイミングｄｔ１９）にて検出電極から出力される位置検出信号Ｖdetを検出するようにしている。
【００７２】
以上説明したように本実施形態によれば、ＴＦＴは、アレイ基板の板面に沿って複数ずつが行列状に並んで設けられているのに対し、表示駆動部である行制御回路部は、行列状に並ぶＴＦＴに対して行方向に沿って走査する形で順次に走査信号Ｖscanを供給してＴＦＴを駆動するようにしており、タッチコントローラは、連続する複数の走査書き込み期間の中から選択される１つの走査書き込み期間中に、駆動電極に駆動信号Ｖdriを供給して駆動電極を駆動するものとされる。このようにすれば、高精細化に伴って走査書き込み期間が短くなるのに加えて、大型化に伴って位置検出に要する期間が長くなった場合でも、位置検出に要する期間を十分に確保することが可能となる。これにより、高精細化及び大型化を図る上でより好適となる。
【００７３】
＜実施形態５＞
本発明の実施形態５を図１８によって説明する。この実施形態５では、上記した実施形態４から位置検出期間のタイミングを変更したものを示す。なお、上記した実施形態４と同様の構造、作用及び効果について重複する説明は省略する。
【００７４】
本実施形態に係る主制御部は、図１８に示すように、連続する２つの表示期間にそれぞれ含まれる２つの走査書き込み期間に跨る形で駆動電極に駆動信号Ｖdriを供給して駆動電極を駆動するよう、タッチコントローラを制御している。つまり、位置検出期間（タイミングｐｔ１９〜タイミングｐｔ２０）は、一単位駆動期間あたり１回のみ行われるとともに、２つの走査書き込み期間の双方に対して時間的に重なるよう行われている。ここで、液晶表示装置が高精細化されると、走査書き込み期間が短くなり、さらには液晶表示装置が大型化されると、位置検出に要する期間が長くなる傾向にある。このような場合には、各走査書き込み期間毎に位置検出を行うのが困難になる可能性がある。その点、本実施形態では、連続する２つの表示期間にそれぞれ含まれる２つの走査書き込み期間に跨る形で位置検出を行うようにしているから、高精細化に伴って走査書き込み期間が短くなり、さらには大型化に伴って位置検出に要する期間が長くなった場合にも容易に対応することができ、もって高精細化及び大型化を図る上で好適とされる。
【００７５】
詳しくは、主制御部により制御されるタッチコントローラは、位置検出期間を開始するタイミングｐｔ１９が、１回目の表示期間に含まれる走査書き込み期間が開始されるタイミングｄｔ２と、赤色のデータ書き込み期間が開始されるタイミングｄｔ３と、の間となり、位置検出期間を終了するタイミングｐｔ２０が、２回目の表示期間に含まれる緑色のデータ書き込み期間が終了されるタイミングｄｔ１５と、青色のデータ書き込み期間が開始されるタイミングｄｔ１６と、の間となるよう、位置検出の制御を行っている。つまり、位置検出期間は、１回目の表示期間に含まれる走査書き込み期間（３回のデータ書き込み期間を含む）及び休止期間と、２回目の表示期間に含まれる走査書き込み期間（２回のデータ書き込み期間を含む）と、に跨る形で行われるものとされる。そして、タッチコントローラは、位置検出期間のうち、データ書き込み期間が終了してデータ信号ＶpixR，ＶpixG，ＶpixBが書き込まれないデータ非書き込み期間（タイミングｄｔ１５〜タイミングｄｔ１６）にて検出電極から出力される位置検出信号Ｖdetを検出するようにしている。
【００７６】
以上説明したように本実施形態によれば、ＴＦＴは、アレイ基板の板面に沿って複数ずつが行列状に並んで設けられているのに対し、表示駆動部である行制御回路部は、行列状に並ぶＴＦＴに対して行方向に沿って走査する形で順次に走査信号Ｖscanを供給してＴＦＴを駆動するようにしており、タッチコントローラは、連続する複数の走査書き込み期間に跨る形で駆動電極に駆動信号Ｖdriを供給して駆動電極を駆動するものとされる。このようにすれば、高精細化に伴って走査書き込み期間が短くなるのに加えて、大型化に伴って位置検出に要する期間が長くなった場合でも、位置検出に要する期間を十分に確保することが可能となる。これにより、高精細化及び大型化を図る上でより好適となる。
【００７７】
＜実施形態６＞
本発明の実施形態６を図１９によって説明する。この実施形態６では、上記した実施形態１から液晶パネル５１１の構造を変更したものを示す。なお、上記した実施形態１と同様の構造、作用及び効果について重複する説明は省略する。
【００７８】
本実施形態に係る液晶パネル５１１は、図１９に示すように、共通電極５２３がアレイ基板５１１ｂ側ではなくＣＦ基板５１１ａ側に設けられており、液晶層５１１ｃに含まれる液晶分子が垂直配向する、いわゆるＶＡ（Vertical Alignment）モードとなっている。詳しくは、ＣＦ基板５１１ａには、カラーフィルタ５２４、遮光部５２５、及び駆動電極５３９に対して液晶層５１１ｃ側に積層する形で平坦化膜５１が設けられ、その平坦化膜５１に対して液晶層５１１ｃ側に積層する形で共通電極５２３が設けられている。この平坦化膜５１により、共にＣＦ基板５１１ａの内面側に設けられる駆動電極５３９と共通電極５２３との絶縁性が担保されている。共通電極５２３は、ＣＦ基板５１１ａの板面のほぼ全域にわたるベタ状をなすものとされる。これに対し、アレイ基板５１１ｂ側の画素電極５２０は、その形成範囲内に上記した実施形態１に記載したようなスリット２０ａ（図８を参照）が形成されない構成とされている。また、アレイ基板５１１ｂには、上記した実施形態１に記載したような第２層間絶縁膜３５（図８を参照）が形成されないものとされており、画素電極５２０が平坦化膜５３３上に積層する形で設けられている。
【００７９】
＜他の実施形態＞
本発明は上記記述及び図面によって説明した実施形態に限定されるものではなく、例えば次のような実施形態も本発明の技術的範囲に含まれる。
（１）上記した実施形態１の変形例として、位置検出期間が、赤色のデータ書き込み期間と、緑色のデータ書き込み期間とに跨って行われる設定であっても構わない。それ以外にも、位置検出期間が、赤色、緑色、青色の全てのデータ書き込み期間に跨って行われる設定であっても構わない。
【００８０】
（２）上記した実施形態１の変形例として、位置検出期間が、３つのデータ書き込み期間の中から選択される１つのデータ書き込み期間のみと時間的に重なる設定であっても構わない。
【００８１】
（３）上記した実施形態２の変形例として、位置検出期間が、休止期間と、緑色及び青色の２つのデータ書き込み期間とに跨って行われる設定であっても構わない。それ以外にも、位置検出期間が、休止期間と、赤色、緑色、青色の全てのデータ書き込み期間とに跨って行われる設定であっても構わない。
【００８２】
（４）上記した実施形態２の変形例として、上記した実施形態４のように、連続する２つの表示期間の中のいずれか一方の表示期間においてのみ位置検出期間が行われる設定であっても構わない。
【００８３】
（５）上記した実施形態３の変形例として、一表示期間中に位置検出期間が３回以上行われる設定であっても構わない。
【００８４】
（６）上記した実施形態３の変形例として、一表示期間中に行われる２回の位置検出期間のうちのいずれかが、複数のデータ書き込み期間に跨る形で行われる設定であっても構わない。
【００８５】
（７）上記した実施形態３の変形例として、一表示期間中に行われる２回の位置検出期間のうちのいずれかが、上記した実施形態２のようにデータ書き込み期間と休止期間とに跨る形で行われる設定であっても構わない。
【００８６】
（８）上記した実施形態３の変形例として、上記した実施形態４のように、連続する２つの表示期間の中のいずれか一方の表示期間においてのみ複数の位置検出期間が行われる設定であっても構わない。
【００８７】
（９）上記した実施形態３の変形例として、上記した実施形態５のように、連続する２つの表示期間に跨る形で、複数の位置検出期間のうちのいずれかが行われる設定であっても構わない。
【００８８】
（１０）上記した実施形態４の変形例として、連続する２つの表示期間の中の先の表示期間においてのみ位置検出期間が行われる設定であっても構わない。
【００８９】
（１１）上記した実施形態５の変形例として、連続する２つの表示期間の中の先の表示期間に含まれる休止期間と、後の表示期間に含まれる１つまたは複数のデータ書き込み期間とに跨る形で、位置検出期間が行われる設定、つまり先の表示期間のデータ書き込み期間を含まない形で位置検出期間が行われる設定であっても構わない。また、連続する２つの表示期間の中の先の表示期間に含まれる休止期間、またはデータ書き込み期間及び休止期間と、後の表示期間に含まれる３つのデータ書き込み期間及び休止期間とに跨る形で、位置検出期間が行われる設定であっても構わない。また、連続する２つの表示期間の中の先の表示期間に含まれる休止期間、またはデータ書き込み期間及び休止期間と、後の表示期間に含まれる１つか３つのデータ書き込み期間とに跨る形で、位置検出期間が行われる設定であっても構わない。また、連続する２つの表示期間の中の先の表示期間に含まれる１つか２つのデータ書き込み期間及び休止期間と、後の表示期間に含まれる１つか２つか３つのデータ書き込み期間、または３つのデータ書き込み期間及び休止期間とに跨る形で、位置検出期間が行われる設定であっても構わない。
【００９０】
（１２）上記した実施形態６の変形例として、カラーフィルタが遮光部及び駆動電極を覆う形で設けられていても構わない。その場合、カラーフィルタによって駆動電極と共通電極との絶縁性が担保されることになるので、ＣＦ基板の平坦化膜を省略することが可能となる。
【００９１】
（１３）上記した各実施形態では、位置検出期間において１回のみ検出電極から出力される位置検出信号の検出（タッチセンシング）を行う場合を示したが、位置検出期間において検出電極から出力される位置検出信号の検出を複数回行うようにしても構わない。
【００９２】
（１４）上記した各実施形態では、列制御回路部により多重化データ信号を各色に係る複数のデータ信号に分離して各ソース配線に供給するようにした場合を示したが、列制御回路部を省略し、ドライバから各色に係る複数のデータ信号を直接的に各ソース配線に供給することも可能である。このような構成は、ＴＦＴの半導体膜としてアモルファスシリコンや酸化物半導体を用いる場合に好適である。
【００９３】
（１５）上記した各実施形態では、行制御回路部により走査信号を各ゲート配線に供給する場合を示したが、行制御回路部を省略するとともに、アレイ基板にゲートドライバを実装するようにし、そのゲートドライバから走査信号を各ゲート配線に供給するようにしても構わない。また、このようなゲートドライバを設けずに、ドライバから走査信号を各ゲート配線に供給することも可能である。これらの構成は、ＴＦＴの半導体膜としてアモルファスシリコンや酸化物半導体を用いる場合に好適である。
【００９４】
（１６）上記した各実施形態では、アレイ基板側に平坦化膜を設けたものを示したが、アレイ基板側の平坦化膜を省略することも可能である。
【００９５】
（１７）上記した各実施形態では、表示期間に休止期間が含まれる表示駆動の例を示したが、表示期間に休止期間が含まれない表示駆動を行うものにも本発明は適用可能である。
【００９６】
（１８）上記した各実施形態では、ＦＦＳモードの液晶パネルやＶＡモードの液晶パネルを備える液晶表示装置について例示したが、ＩＰＳ（in-plane switching）モードの液晶パネルを備える液晶表示装置にも本発明は適用可能である。
【００９７】
（１９）上記した各実施形態に記載した構成において、ダミー配線部、モノリシック回路部などを省略することも可能である。
【００９８】
（２０）上記した各実施形態では、タッチパネルパターンのタッチ領域と、液晶パネルの表示領域と、が互いに一致する構成のものを示したが、両者が完全に一致している必要はなく、例えばタッチパネルパターンのタッチ領域が、液晶パネルの表示領域の全域と、非表示領域の一部（表示領域寄りの部分）とに跨る範囲に設定されていてもよい。
【００９９】
（２１）上記した各実施形態では、半導体膜をＣＧシリコン薄膜（多結晶シリコン薄膜）とした場合を例示したが、それ以外にも、例えば酸化物半導体やアモルファスシリコンを半導体膜の材料として用いることも可能である。
【０１００】
（２２）上記した各実施形態では、液晶パネルのカラーフィルタが赤色、緑色及び青色の３色構成とされたものを例示したが、赤色、緑色及び青色の各着色部に、黄色の着色部を加えて４色構成としたカラーフィルタを備えたものにも本発明は適用可能である。
【０１０１】
（２３）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。また、本発明は、半透過型液晶表示装置にも適用可能である。
【０１０２】
（２４）上記した各実施形態では、小型または中小型に分類され、携帯型情報端末、携帯電話（スマートフォンを含む）、ノートパソコン（タブレット型ノートパソコンを含む）、デジタルフォトフレーム、携帯型ゲーム機などの各種電子機器などに用いされる液晶パネルを例示したが、画面サイズが例えば２０インチ〜９０インチで、中型または大型（超大型）に分類される液晶パネルにも本発明は適用可能である。その場合、液晶パネルをテレビ受信装置、電子看板（デジタルサイネージ）、電子黒板などの電子機器に用いることが可能とされる。
【０１０３】
（２５）上記した各実施形態では、一対の基板間に液晶層が挟持された構成とされる液晶パネルについて例示したが、一対の基板間に液晶材料以外の機能性有機分子を挟持した表示パネルについても本発明は適用可能である。
【０１０４】
（２６）上記した各実施形態では、液晶パネルのスイッチング素子としてＴＦＴを用いたが、ＴＦＴ以外のスイッチング素子（例えば薄膜ダイオード（ＴＦＤ））を用いた液晶パネルを備えた液晶表示装置にも適用可能であり、カラー表示する液晶パネルを備えた液晶表示装置以外にも、白黒表示する液晶パネルを備えた液晶表示装置にも適用可能である。
【０１０５】
（２７）上記した各実施形態では、表示パネルとして液晶パネルを用いた液晶表示装置を例示したが、他の種類の表示パネル（ＰＤＰ（プラズマディスプレイパネル）、有機ＥＬパネル、ＥＰＤ（電気泳動ディスプレイパネル）など）を用いた表示装置にも本発明は適用可能である。その場合、バックライト装置を省略することも可能である。
【符号の説明】
【０１０６】
１０...液晶表示装置（位置入力機能付き表示装置）、１１ａ，５１１ａ...ＣＦ基板（対向基板）、１１ｂ，５１１ｂ...アレイ基板、１６...ドライバ（表示駆動部）、１９...ＴＦＴ（表示素子）、２０，５２０...画素電極、２３，５２３...共通電極、３７ａ...列制御回路部（分離制御部）、３７ｂ...行制御回路部（表示駆動部）、３８...検出電極、３９，５３９...駆動電極、４８...タッチコントローラ（位置検出制御部）、４９...主制御部（表示駆動部、位置検出制御部）、Ｖscan...走査信号、Ｖdet...位置検出信号、Ｖdri...駆動信号、Ｖsel...分離制御信号、Ｖsig...多重化データ信号、Ｖpix...データ信号
【図１】
2016084725.tif 000003
【図２】
2016084725.tif 000004
【図３】
2016084725.tif 000005
【図４】
2016084725.tif 000006
【図５】
2016084725.tif 000007
【図６】
2016084725.tif 000008
【図７】
2016084725.tif 000009
【図８】
2016084725.tif 000010
【図９】
2016084725.tif 000011
【図１０】
2016084725.tif 000012
【図１１】
2016084725.tif 000013
【図１２】
2016084725.tif 000014
【図１３】
2016084725.tif 000015
【図１４】
2016084725.tif 000016
【図１５】
2016084725.tif 000017
【図１６】
2016084725.tif 000018
【図１７】
2016084725.tif 000019
【図１８】
2016084725.tif 000020
【図１９】
2016084725.tif 000021
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
表示素子と、
前記表示素子に接続される画素電極と、
前記画素電極との間で静電容量を形成する共通電極と、
少なくとも前記表示素子が配されるアレイ基板と、
前記アレイ基板と対向状をなす形で間隔を空けて配される対向基板と、
前記対向基板に設けられてその板面に沿う方向に沿って延在する検出電極と、
前記対向基板に設けられてその板面に沿い且つ前記検出電極の延在方向と直交する方向に沿って延在し、前記検出電極と平面視において重畳していてその重畳する前記検出電極との間で静電容量を形成する駆動電極と、
前記表示素子に走査信号及びデータ信号を供給して表示駆動を行う表示駆動部と、
前記駆動電極に駆動信号を供給するとともに前記検出電極から出力される位置検出信号を検出することで位置検出制御を行う位置検出制御部であって、少なくとも前記表示駆動部により前記表示素子に前記走査信号が供給されて前記表示素子が駆動される走査書き込み期間中に、前記駆動電極に前記駆動信号を供給して前記駆動電極を駆動する位置検出制御部と、を備え、
前記表示駆動部は、複数の前記表示素子に供給される複数の前記データ信号を多重化した多重化データ信号を出力するとともに、前記多重化データ信号を複数の前記データ信号に分離するための分離制御信号を出力するものとされるのに対し、前記表示駆動部から出力される前記多重化データ信号及び前記分離制御信号が入力されるとともに前記分離制御信号に基づいて前記多重化データ信号から複数の前記データ信号を分離して複数の前記表示素子に時分割して供給する分離制御部を備えており、
前記位置検出制御部は、前記分離制御部により複数の前記データ信号が時分割されて複数の前記表示素子に供給される複数のデータ書き込み期間に跨る形で、前記駆動電極に前記駆動信号を供給して前記駆動電極を駆動するとともに、前記データ書き込み期間が終わったタイミングで前記検出電極から出力される前記位置検出信号を検出するものとされる位置入力機能付き表示装置。
【請求項２】
前記表示駆動部は、表示期間に、前記走査書き込み期間と、前記表示素子の駆動が休止される休止期間と、が含まれるよう表示駆動を行うものとされており、
前記位置検出制御部は、前記走査書き込み期間と前記休止期間とに跨る形で前記駆動電極に前記駆動信号を供給して前記駆動電極を駆動するとともに、前記休止期間中に前記検出電極から出力される位置検出信号を検出するものとされる請求項１記載の位置入力機能付き表示装置。
【請求項３】
前記位置検出制御部は、前記走査書き込み期間中に、前記駆動電極に前記駆動信号を複数回供給するものとされる請求項１または請求項２に記載の位置入力機能付き表示装置。
【請求項４】
前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、
前記位置検出制御部は、順次に行われる前記走査書き込み期間のそれぞれの中で前記駆動電極に前記駆動信号を供給して前記駆動電極を駆動するものとされる請求項１から請求項３のいずれか１項に記載の位置入力機能付き表示装置。
【請求項５】
前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、
前記位置検出制御部は、連続する複数の前記走査書き込み期間の中から選択される１つの前記走査書き込み期間中に、前記駆動電極に前記駆動信号を供給して前記駆動電極を駆動するものとされる請求項１から請求項３のいずれか１項に記載の位置入力機能付き表示装置。
【請求項６】
前記表示素子は、前記アレイ基板の板面に沿って複数ずつが行列状に並んで設けられているのに対し、前記表示駆動部は、行列状に並ぶ前記表示素子に対して行方向に沿って走査する形で順次に前記走査信号を供給して前記表示素子を駆動するようにしており、
前記位置検出制御部は、連続する複数の前記走査書き込み期間に跨る形で前記駆動電極に前記駆動信号を供給して前記駆動電極を駆動するものとされる請求項１から請求項３のいずれか１項に記載の位置入力機能付き表示装置。
【請求項７】
前記画素電極及び前記共通電極は、前記アレイ基板における前記対向基板側の板面にそれぞれ設けられているのに対し、前記検出電極は、前記対向基板における一方の板面に設けられるとともに、前記駆動電極は、前記対向基板における他方の板面に設けられている請求項１から請求項６のいずれか１項に記載の位置入力機能付き表示装置。
【国際調査報告】
2016084725.tif 000022
2016084725.tif 000023
2016084725.tif 000024
2016084725.tif 000025